(57)【特許請求の範囲】
【請求項１】
送信原稿を構成するページ原稿から原稿データを読み取る読取手段と、
前記読取手段により読み取った原稿データを所定の相手先に送信する送信手段と、
前記送信手段により前記送信原稿に基づく原稿データを一通信で送信する際に、当該送信原稿を構成するページ原稿に付加されている無線タグに、当該送信原稿に基づく原稿データの送信先を示す送信相手先情報、当該送信原稿に基づく原稿データの送信に関する日時を示す日時情報の少なくとも一方を、前記送信手段により一通信で送信される原稿を識別可能な識別情報に含まれる詳細情報として夫々書き込む書込手段と、
前記送信手段により前記送信原稿に基づく原稿データを一送信で送信する毎に、前記送信相手先情報、前記日時情報の少なくとも一方を履歴詳細情報として含む送信履歴情報を記憶する履歴記憶手段と、
前記履歴記憶手段に記憶されている送信履歴情報のうち、ユーザの操作により指定された送信履歴情報を抽出条件として設定する履歴抽出条件設定手段と、
複数枚のページ原稿で構成される対象原稿に関し、当該対象原稿を構成する各ページ原稿に付加されている無線タグから、前記識別情報を取得する取得手段と、
前記書込手段により無線タグに書き込まれ、前記取得手段により取得された識別情報に基づいて、前記送信手段により先に一送信で送信された送信済原稿を、前記対象原稿から抽出する抽出手段と、
前記履歴抽出条件設定手段により抽出条件として設定された送信履歴情報に含まれる履歴詳細情報と、前記取得手段により無線タグから取得される識別情報に含まれる詳細情報と、に基づいて、前記対象原稿から、前記履歴詳細情報に対応する前記送信済原稿を抽出するように前記抽出手段を制御する抽出制御手段と、を備えることを特徴とする通信装置。
【請求項２】
請求項１に記載の通信装置において、
前記送信手段により前記送信原稿に基づく原稿データを一送信で送信する毎に、当該送信原稿を構成するページ原稿の枚数を示す枚数情報を、当該送信原稿に対応する送信履歴情報の履歴詳細情報として前記履歴記憶手段に格納する履歴記憶制御手段と、
前記抽出手段により、前記対象原稿から抽出された送信済原稿を構成するページ原稿の枚数を計数する計数手段と、
種々の情報をユーザに通知する通知手段と、
前記通知手段により通知される通知内容を制御する通知制御手段と、を備え、
前記通知制御手段は、
前記計数手段の計数結果が前記送信済原稿に対応する送信履歴情報に含まれる枚数情報よりも少ない場合、当該送信済原稿を構成するページ原稿の内、前記対象原稿から抽出されていないページ原稿が存在することを通知するように前記通知手段を制御することを特徴とする通信装置。
【請求項３】
請求項２に記載の通信装置において、
前記書込手段は、
前記送信手段により前記送信原稿に基づく原稿データを一通信で送信する際に、当該送信原稿を構成するページ原稿に付加されている無線タグに、当該送信原稿を構成するページ原稿に基づく原稿データの送信順序を示すページ情報を、前記識別情報に含まれる詳細情報として夫々書き込むように構成され、
前記抽出手段により前記送信済原稿を構成するページ原稿を抽出する毎に、当該ページ原稿に付加された無線タグから取得したページ情報を格納するページ情報保持手段と、を備え、
前記通知制御手段は、
前記履歴記憶手段に格納されている当該送信済原稿に係る枚数情報と、前記ページ情報保持手段に格納されているページ情報とに基づいて、前記送信済原稿を構成するページ原稿と、前記抽出手段により対象原稿から抽出されたページ原稿との対応関係を通知するように前記通知手段を制御することを特徴とする通信装置。
【請求項４】
請求項３に記載の通信装置において、
前記抽出手段により抽出された送信済原稿を構成する各ページ原稿の無線タグから取得したページ情報を、前記抽出手段により抽出された順序に従って表示する抽出順序通知手段と、を備えることを特徴とする通信装置。
【請求項５】
請求項２乃至請求項４の何れかに記載の通信装置において、
前記対象原稿を構成する全てのページ原稿について、前記取得手段による識別情報の取得を完了する前に、当該対象原稿から、前記送信済原稿を構成する全てのページ原稿を抽出したか否かを判断する判断手段と、
前記判断手段により、当該対象原稿から前記送信済原稿を構成する全てのページ原稿を抽出したと判断された場合に、当該送信済原稿を構成する全てのページ原稿を抽出した時点で、当該対象原稿を構成するページ原稿からの識別情報の取得を停止するように前記取得手段を制御する抽出停止手段と、を備えることを特徴とする通信装置。
【請求項６】
請求項１乃至請求項５の何れかに記載の通信装置において、
前記抽出手段による抽出処理を完了した前記対象原稿を構成するページ原稿を排紙する排紙手段と、
前記抽出手段の抽出結果に基づいて、前記対象原稿を構成するページ原稿を、前記送信済原稿を構成するページ原稿と、前記送信済原稿に該当しないページ原稿に分別して排紙するように、前記排紙手段を制御する排紙制御手段と、を備えることを特徴とする通信装置。 
【発明の詳細な説明】
【技術分野】
【０００１】
本発明は、原稿から原稿データを読み取る読取手段と、当該原稿データを所望の相手先に送信する送信手段と、を有する通信装置に関し、特に、原稿に付加された無線タグからデータを取得する取得手段を有する通信装置に関する。
【背景技術】
【０００２】
従来、通信装置は、原稿から原稿データ（即ち、画像データ）を読み取り、当該原稿データをユーザ所望の相手先に送信可能に構成されている。そして、近年、通信装置の分野において、原稿データを送信する際の利便性を向上させるために、無線タグを利用した通信装置が発明されている。
【０００３】
このような通信装置の一つとして、特許文献１に記載された通信装置が知られている。当該特許文献１記載の通信装置は、名刺等に付加された無線タグを利用し、ファクシミリ送信時の利便性を向上させている。具体的には、特許文献１記載の通信装置は、名刺等に付加された無線タグから、当該無線タグに書き込まれている相手先情報（例えば、ファクシミリ番号を示す情報）を取得する。そして、特許文献１記載の通信装置は、取得した相手先情報に基づいて、ファクシミリ送信の相手先を特定し、原稿データをファクシミリ送信する。即ち、この特許文献１記載の通信装置は、ファクシミリ送信の相手先に関するユーザの操作を簡略化し、ファクシミリ送信についての利便性を向上させている。
【特許文献１】特開２００５−３４８０２７号公報
【発明の開示】
【発明が解決しようとする課題】
【０００４】
上述したように、上記特許文献１記載の通信装置は、「ファクシミリ送信の相手先の指定操作を簡略化」について、無線タグを活用している。しかしながら、ファクシミリ送信に関する利便性を向上させる上で、無線タグ（即ち、無線タグに書き込まれた情報）を有効活用する方法は、上記特許文献１記載の態様に限られるものではない。即ち、通信装置の分野において、ファクシミリ送信の利便性向上を目的とした無線タグを有効活用する方法は、未だ充分に検討されていなかった。
【０００５】
ここで、ファクシミリ送信を行う際に、ユーザが送信しようとする原稿が、他の原稿と混ざってしまうことがある。この場合には、ユーザは、送信しようとする原稿と他の原稿が混在している多量の原稿から、送信しようとする原稿を探し出さなければ、所望のファクシミリ送信を行うことができない。そして、送信しようとする原稿を探し出すためには、ユーザは、多量の原稿を構成する各ページ原稿の内容を精査しなければならない。つまり、特許文献１記載の通信装置を含む従来の通信装置は、このような場合に、ユーザに非常に煩雑な作業と負担を強いることになり、この点に関する利便性に欠けるという問題点を有している。
【０００６】
具体的には、一度ファクシミリ送信した原稿を再度ファクシミリ送信する必要性が生じた場合、上記のような事態が生じやすい。一般に一度ファクシミリ送信した原稿はその必要性は低くなると考えられるので、ユーザは、当該原稿に対する管理を怠りがちとなる。そうすると、送信後に必要となった当該原稿は、当該原稿周辺にある他の書類（他の原稿を含む）と混ざってしまいやすくなる。従って、このような場合には、上記問題点がさらに顕在化する。
【０００７】
この点、一度ファクシミリ送信した原稿を再度ファクシミリ送信する必要性が生じた場合については、一つの解決方法が存在する。即ち、先のファクシミリ送信を行う際に、通信装置は、この時に取得した原稿データをメモリに格納しておく。そして、再度ファクシミリ送信する必要が生じた場合、当該通信装置は、メモリに格納されている先に取得された原稿データを送信する。この方法を採用すれば、一度ファクシミリ送信した原稿を再度ファクシミリ送信する必要性が生じた場合における上記問題点を解決し得る。しかしながら、この解決方法では、原稿データを格納するメモリ容量には上限があるため、常に上記問題点を解決することはできない。
【０００８】
本発明は、前記従来における問題点を解消するためになされたものであり、原稿に付加された無線タグからデータを取得する取得手段を有する通信装置に関し、特に、無線タグから取得したデータを活用し、予め一まとまりの原稿として扱うことが定められている原稿を大量の原稿の中から抽出する際の利便性を向上させ得る通信装置を提供することを目的とする。
【課題を解決するための手段】
【０００９】
前記課題を解決するために成された請求項１に係る通信装置は、送信原稿を構成するページ原稿から原稿データを読み取る読取手段と、前記読取手段により読み取った原稿データを所定の相手先に送信する送信手段と、前記送信手段により前記送信原稿に基づく原稿データを一通信で送信する際に、当該送信原稿を構成するページ原稿に付加されている無線タグに、当該送信原稿に基づく原稿データの送信先を示す送信相手先情報、当該送信原稿に基づく原稿データの送信に関する日時を示す日時情報の少なくとも一方を、前記送信手段により一通信で送信される原稿を識別可能な識別情報に含まれる詳細情報として夫々書き込む書込手段と、前記送信手段により前記送信原稿に基づく原稿データを一送信で送信する毎に、前記送信相手先情報、前記日時情報の少なくとも一方を履歴詳細情報として含む送信履歴情報を記憶する履歴記憶手段と、前記履歴記憶手段に記憶されている送信履歴情報のうち、ユーザの操作により指定された送信履歴情報を抽出条件として設定する履歴抽出条件設定手段と、複数枚のページ原稿で構成される対象原稿に関し、当該対象原稿を構成する各ページ原稿に付加されている無線タグから、前記識別情報を取得する取得手段と、前記書込手段により無線タグに書き込まれ、前記取得手段により取得された識別情報に基づいて、前記送信手段により先に一送信で送信された送信済原稿を、前記対象原稿から抽出する抽出手段と、前記履歴抽出条件設定手段により抽出条件として設定された送信履歴情報に含まれる履歴詳細情報と、前記取得手段により無線タグから取得される識別情報に含まれる詳細情報と、に基づいて、前記対象原稿から、前記履歴詳細情報に対応する前記送信済原稿を抽出するように前記抽出手段を制御する抽出制御手段と、を備えることを特徴とする。
【００１０】
ここで、無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称される記録媒体である。
【００１１】
【００１２】
【００１３】
【００１４】
又、請求項２記載の通信装置は、請求項１に記載の通信装置において、前記送信手段により前記送信原稿に基づく原稿データを一送信で送信する毎に、当該送信原稿を構成するページ原稿の枚数を示す枚数情報を、当該送信原稿に対応する送信履歴情報の履歴詳細情報として前記履歴記憶手段に格納する履歴記憶制御手段と、前記抽出手段により、前記対象原稿から抽出された送信済原稿を構成するページ原稿の枚数を計数する計数手段と、種々の情報をユーザに通知する通知手段と、前記通知手段により通知される通知内容を制御する通知制御手段と、を備え、前記通知制御手段は、前記計数手段の計数結果が前記送信済原稿に対応する送信履歴情報に含まれる枚数情報よりも少ない場合、当該送信済原稿を構成するページ原稿の内、前記対象原稿から抽出されていないページ原稿が存在することを通知するように前記通知手段を制御することを特徴とする。
【００１５】
そして、請求項３記載の通信装置は、請求項２に記載の通信装置において、前記書込手段は、前記送信手段により前記送信原稿に基づく原稿データを一通信で送信する際に、当該送信原稿を構成するページ原稿に付加されている無線タグに、当該送信原稿を構成するページ原稿に基づく原稿データの送信順序を示すページ情報を、前記識別情報に含まれる詳細情報として夫々書き込むように構成され、前記抽出手段により前記送信済原稿を構成するページ原稿を抽出する毎に、当該ページ原稿に付加された無線タグから取得したページ情報を格納するページ情報保持手段と、を備え、前記通知制御手段は、前記履歴記憶手段に格納されている当該送信済原稿に係る枚数情報と、前記ページ情報保持手段に格納されているページ情報とに基づいて、前記送信済原稿を構成するページ原稿と、前記抽出手段により対象原稿から抽出されたページ原稿との対応関係を通知するように前記通知手段を制御することを特徴とする。
【００１６】
又、請求項４記載の通信装置は、請求項３に記載の通信装置において、前記抽出手段により抽出された送信済原稿を構成する各ページ原稿の無線タグから取得したページ情報を、前記抽出手段により抽出された順序に従って表示する抽出順序通知手段と、を備えることを特徴とする。
【００１７】
そして、請求項５記載の通信装置は、請求項２乃至請求項４の何れかに記載の通信装置において、前記対象原稿を構成する全てのページ原稿について、前記取得手段による識別情報の取得を完了する前に、当該対象原稿から、前記送信済原稿を構成する全てのページ原稿を抽出したか否かを判断する判断手段と、前記判断手段により、当該対象原稿から前記送信済原稿を構成する全てのページ原稿を抽出したと判断された場合に、当該送信済原稿を構成する全てのページ原稿を抽出した時点で、当該対象原稿を構成するページ原稿からの識別情報の取得を停止するように前記取得手段を制御する抽出停止手段と、を備えることを特徴とする。
【００１８】
又、請求項６記載の通信装置は、請求項１乃至請求項５の何れかに記載の通信装置において、前記抽出手段による抽出処理を完了した前記対象原稿を構成するページ原稿を排紙する排紙手段と、前記抽出手段の抽出結果に基づいて、前記対象原稿を構成するページ原稿を、前記送信済原稿を構成するページ原稿と、前記送信済原稿に該当しないページ原稿に分別して排紙するように、前記排紙手段を制御する排紙制御手段と、を備えることを特徴とする。
【発明の効果】
【００１９】
請求項１記載の通信装置は、対象原稿に送信済原稿が含まれている場合に、対象原稿を構成するページ原稿の無線タグから、識別情報を取得する。そして、当該通信装置は、抽出手段により、取得した識別情報に基づいて、対象原稿から先に一通信で送信された送信済原稿、即ち、予め一まとまりの原稿として扱うことが定められた原稿のセットを抽出する。従って、当該通信装置によれば、或る送信済原稿と、その他の原稿が対象原稿中に混在してしまった場合であっても、ユーザは、多くのページ原稿で構成された対象原稿の内容を精査することなく、所望の送信済原稿を容易に判別できる。この結果、当該通信装置は、対象原稿中に送信済原稿が混在した場合におけるユーザの作業負担を格段に軽減し得る。
【００２０】
又、当該通信装置は、送信手段によって、送信原稿に基づく原稿データを一通信で送信する際に、書込手段により、当該送信原稿を構成するページ原稿の無線タグに識別情報を書き込む。そして、当該通信装置は、書込手段で書き込まれた識別情報に基づいて、対象原稿から送信済原稿を抽出する。ここで、先に一通信で送信された送信済原稿が再度必要になった場合に、当該送信済原稿と他の原稿とが混ざってしまっている状況が想定される。この場合においても、当該通信装置は、書込手段で書き込まれた識別情報に基づいて、対象原稿（送信済原稿と他の原稿とが混在している原稿のまとまり）から、先に一送信で送信された送信済原稿を抽出する。従って、対象原稿中に送信済原稿が混在している状況下においても、当該通信装置によれば、ユーザは、対象原稿中の送信済原稿を確実に判別し得る。即ち、対象原稿中に送信済原稿が混在した場合におけるユーザの作業負担を確実且つ格段に軽減し得る。
【００２１】
そして、当該通信装置は、抽出条件設定手段により、ユーザの操作により指定された指定された詳細情報を、抽出条件として設定し得る。詳細情報は、送信済原稿固有の属性を示す情報である。例えば、送信手段による送信相手先を示す情報や送信に関する日時を示す情報が、当該詳細情報に該当する。そして、当該通信装置は、抽出条件設定手段でユーザにより任意に設定された抽出条件としての詳細情報に基づいて、対象原稿から送信済原稿を抽出する。従って、当該通信装置は、送信済原稿を含む大量の対象原稿を精査し、ユーザ所望の送信済原稿を抽出する作業を省略することができ、もって、この場合におけるユーザの負担を格段に軽減し得る。又、当該通信装置は、ユーザが設定した抽出条件に従って送信済原稿を抽出するので、ユーザ所望の送信済原稿を確実に抽出し得る。
【００２２】
更に、当該通信装置は、送信手段により、一通信で送信原稿に基づく原稿データを送信する際に、送信相手先情報、日時情報の少なくとも一方を識別情報に含まれる詳細情報として書き込む。このとき、当該通信装置は、前記送信相手先情報、日時情報の少なくとも一方を履歴詳細情報として含む送信履歴情報を、履歴記憶手段に格納する。そして、当該通信装置は、対象原稿から送信済原稿を抽出する際に、履歴抽出条件設定手段により、ユーザの操作により指定された送信履歴情報を抽出条件として設定し、当該送信履歴情報に対応する送信済原稿を対象原稿から抽出する。
従って、当該通信装置によれば、ユーザは、送信履歴情報を用いて、ユーザ所望の送信済原稿に対応する抽出条件を設定することができ、対象原稿から所望の送信済原稿を確実に抽出させ得る。つまり、当該通信装置は、大量の対象原稿から所望の送信済原稿を選別する作業負担を軽減し得る。特に、先に一通信で送信された送信済原稿を対象原稿から探し出す場合に、当該通信装置は、ユーザの作業を格段に簡略化することができる。又、抽出条件として設定された送信履歴情報の履歴詳細情報（送信相手先情報、日時情報）と、識別情報に含まれる詳細情報（送信相手先情報、日時情報）に基づき抽出するので、当該通信装置は、確実にユーザ所望の送信済原稿を抽出し得る。
【００２３】
請求項２記載の通信装置は、送信原稿に基づく原稿データを一送信で送信する毎に、送信履歴情報の履歴詳細情報として枚数情報を、履歴記憶手段に格納する。そして、当該通信装置は、計数手段の計数結果が送信済原稿に係る枚数情報よりも少ないときに、通知手段により、送信済原稿を構成するページ原稿の内、対象原稿から抽出されていないページ原稿が存在する旨をユーザに通知する。これにより、当該通信装置によれば、ユーザは、通知手段の通知に基づいて、送信済原稿を再現するためには不足しているページ原稿が存在することを把握し、適切な措置（例えば、不足しているページ原稿の捜索・追加等）を講じることができる。
【００２４】
請求項３記載の通信装置は、送信原稿に基づく原稿データを一通信で送信する際に、当該送信原稿を構成するページ原稿に付加されている無線タグに、ページ情報を、前記識別情報に含まれる詳細情報として夫々書き込む。そして、当該通信装置は、送信済原稿を構成するページ原稿を抽出する毎に、当該ページ原稿の識別情報として取得したページ情報をページ情報保持手段に格納する。その後、当該通信装置は、前記履歴記憶手段に格納されている当該送信済原稿の枚数情報と、前記ページ情報保持手段のページ情報とに基づいて、前記送信済原稿を構成するページ原稿と、前記抽出手段により対象原稿から抽出されたページ原稿との対応関係を通知する。即ち、当該通信装置は、対象原稿に含まれている送信済原稿を構成するページ原稿を特定し得る情報、又は、送信済原稿を構成するページ原稿の内、対象原稿に含まれていないページ原稿を特定し得る情報をユーザに通知する。従って、当該通信装置によれば、ユーザは、送信済原稿を再現するために必要なページ原稿を容易に特定することができ、適切な措置（例えば、不足しているページ原稿の捜索・追加等）を行い得る。
【００２５】
請求項４記載の通信装置は、抽出順序通知手段により、抽出手段により抽出された送信済原稿を構成する各ページ原稿の無線タグから取得したページ情報を、前記抽出手段により抽出された順序に従って表示する。これにより、ユーザは、送信済原稿として抽出された順序と、送信済原稿におけるページ原稿の順序を把握し得る。従って、抽出順序通知手段の表示に基づいて、ユーザは、抽出手段により抽出された送信済原稿を構成するページ原稿を、送信済原稿におけるページ順に容易に並び替えることができる。
【００２６】
請求項５記載の通信装置は、未だ対象原稿が残存している状態であっても、抽出手段によって、送信済原稿を構成する全てのページ原稿を抽出した時点で、対象原稿から送信済原稿の抽出に関する処理（即ち、識別情報の取得及び抽出手段による抽出）を停止する。上記の場合、送信済原稿を構成する全てのページ原稿が抽出されているので、残存する対象原稿には、当該送信済原稿を構成するページ原稿は存在することはない。従って、当該通信装置は、このような場合における送信済原稿の抽出という無駄な処理を停止することで、通信装置に係る処理負担を軽減し得る。
【００２７】
請求項６記載の通信装置は、前記抽出手段による抽出処理を完了すると、排紙手段によって、前記対象原稿を構成するページ原稿を排紙する。このとき、当該通信装置は、抽出手段の抽出結果に基づいて、前記対象原稿を構成するページ原稿を、前記送信済原稿を構成するページ原稿と、前記送信済原稿に該当しないページ原稿に分別して排紙する。従って、当該通信装置によれば、ユーザは、対象原稿を構成するページ原稿の内、送信済原稿に該当するページ原稿と、その他の原稿（即ち、送信済原稿に該当しないページ原稿）とを容易に区別することができる。この結果、当該通信装置は、対象原稿に含まれている送信済原稿を容易に取り扱うことができるという利便性をユーザに提供し得る。
【発明を実施するための最良の形態】
【００２８】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。
図１に示すように、ファクシミリ装置１は、自動原稿送り装置２と、スキャナ部３と、プリンタ部４と、給紙トレイ部５とを有する。
【００２９】
スキャナ部３は、無線タグリーダ１５と、無線タグライタ１６と、スキャナ装置２２とを備えている。無線タグリーダ１５は、自動原稿送り装置２により送られてきた原稿（例えば、送信原稿６１（図５参照）等）に無線タグ６２が付加されていた場合、無線によりその無線タグ６２からデータ（後述する識別データ等）を読み出す。無線タグライタ１６は、前記原稿に付加された無線タグ６２に対し、無線によりデータ（後述する識別データ等）を書き込む。また、スキャナ装置２２は、無線タグ６２の有無に関わらず、自動原稿送り装置２により送られる原稿の原稿データとして、画像データを読み取る。
【００３０】
プリンタ部４は、レーザプリンタ３０を有して構成されている。レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。
【００３１】
給紙トレイ部５は、第１給紙トレイ５１、第２給紙トレイ５２、第３給紙トレイ５３を備えている。そして、第１給紙トレイ５１〜第３給紙トレイ５３には、夫々、検出センサ５４が配設されている。この検出センサ５４は、第１給紙トレイ５１〜第３給紙トレイ５３の夫々に収納された記録用紙における無線タグの有無等を検出する。
【００３２】
ここで、ファクシミリ装置１に係る自動原稿送り装置２の構成について、図面を参照しつつ詳細に説明する。図２は、自動原稿送り装置２の断面図である。そして、図３は、自動原稿送り装置２における原稿排出トレイ２Ｄの動作に関する説明図である。
本実施形態に係るファクシミリ装置１において、自動原稿送り装置２は、原稿載置部２Ａと、原稿搬送機構２Ｂと、トレイモータ２Ｃ（図４参照）と、原稿排出トレイ２Ｄと、を備えている。原稿載置部２Ａは、ファクシミリ送信の対象となる原稿（後述する送信原稿６１等）が積層状態で載置される部分である。又、当該原稿載置部２Ａには、後述する「セット原稿抽出モード」における抽出対象となる対象原稿７０（図１３参照）も載置される。
【００３３】
そして、原稿搬送機構２Ｂは、原稿載置部２Ａに積層されている原稿の内、最上面に位置する原稿を、原稿読取位置Ｒを経由して、原稿排出トレイ２Ｄに排出するための機構である。当該原稿搬送機構２Ｂは、不図示の駆動源により駆動する。又、原稿搬送機構２Ｂの駆動制御は、後述するＣＰＵ１１からの制御信号に基づいて行われる。原稿搬送機構２Ｂにより搬送された原稿は、所定の原稿排出位置Ｐから原稿排出トレイ２Ｄ上に排出される（図３参照）。
【００３４】
原稿排出トレイ２Ｄは、原稿搬送機構２Ｂによって、原稿載置部２Ａから搬送された原稿が排出されるトレイである。そして、当該原稿排出トレイ２Ｄは、自動原稿送り装置２において、所定の範囲で摺動可能に配設されている。具体的には、図３に示すように、原稿排出トレイ２Ｄは、第１位置Ｘと、第２位置Ｙとの間を往復移動可能に配設されている。そして、トレイモータ２Ｃは、自動原稿送り装置２内部に配設されており、原稿排出トレイ２Ｄの往復移動に関する駆動源として機能する。当該トレイモータ２Ｃは、後述するＣＰＵ１１からの制御信号により駆動制御される。従って、原稿排出トレイ２Ｄは、ＣＰＵ１１からの制御信号に基づいて、第１位置Ｘ、又は、第２位置Ｙに移動される（図３参照）。
【００３５】
次に、本実施形態に係るファクシミリ装置１の制御系構成について、図面を参照しつつ詳細に説明する。図４は、ファクシミリ装置１の制御系構成を示すブロック図である。
ファクシミリ装置１は、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００３６】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行する。ＲＯＭ１２は、このファクシミリ装置１で実行される制御プログラムを格納した書換不能なメモリである。当該ＲＯＭ１２には、後述するメイン制御処理プログラム（図８参照）、ファックス送信処理プログラム（図１０参照）、送信履歴指定抽出処理プログラム（図１４参照）、抽出条件指定抽出処理プログラム（図１８参照）等の各種制御プログラムが格納されている。
【００３７】
ＲＡＭ１３は、ファクシミリ装置１の各動作の実行時に、各種のデータを一時的に記憶するためのメモリである。例えば、ＲＡＭ１３は、後述する送信履歴指定抽出処理プログラム（図１４参照）における識別データ取得処理（Ｓ２４）で取得した識別データや、一致回数加算処理（Ｓ２６）における一致回数の計数結果を一時的に記憶する。
【００３８】
又、当該ＲＡＭ１３は、送信ファクシミリデータ記憶エリア１３１、受信ファクシミリデータ記憶エリア１３２を備えている。送信ファクシミリデータ記憶エリア１３１は、スキャナ装置２２により読み取られた原稿の画像データにより構成される原稿データを格納する。そして、受信ファクシミリデータ記憶エリア１３２は、他のファクシミリ装置（図示せず）から受信した原稿データを一時的に格納する。
【００３９】
フラッシュメモリ１４は、書換可能な不揮発性のメモリである。そして、フラッシュメモリ１４は、送信履歴記憶エリア１４１、電話帳データ記憶エリア１４２を有している。
送信履歴記憶エリア１４１には、ファクシミリ送信に関する詳細を示す送信履歴データが記憶される。本実施形態において、送信履歴記憶エリア１４１に記憶される送信履歴データは、送信先データと、日時データと、枚数データとにより構成される（図１２参照）。この送信履歴データの詳細な内容については、後に詳細に説明する。
【００４０】
そして、電話帳データ記憶エリア１４２は、ファクシミリ送信や通話の相手先（例えば、相手先装置）を識別可能し得る相手先データ（例えば、電話番号やファクシミリ番号等）を記憶する記憶エリアである。尚、当該ファクシミリ装置１において、ユーザは、電話帳データ記憶エリア１４２に記憶されている相手先データを用いて、ファクシミリ送信時や通話時における相手先への発呼が可能である。
【００４１】
そして、図４に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、検出センサ５４、操作パネル１７、ＬＣＤ１８、アンプ２７、及びトレイモータ２Ｃを備えている。尚、これらの周辺装置も、バスライン２５を介して相互に接続されている。
【００４２】
無線タグリーダ１５は、上述したように、原稿の無線タグに格納されているデータ（例えば、後述する識別データ等）を読み出す装置である。そして、無線タグライタ１６は、無線タグに対して、データ（例えば、後述する識別データ等）を書き込む装置である。
【００４３】
そして、ＮＣＵ１９は、交換機２９に対し回線の接続・切断等の通信制御処理を行う装置である。モデム２０は、原稿データを変調・復調して伝送すると共に伝送制御用の各種手順信号を送受信する装置である。バッファ２１は、相手側ファクシミリ装置との間で送受信を行う際に、符号化された原稿データを含むデータを一時的に格納する記憶手段である。
【００４４】
スキャナ装置２２は、上述したように、スキャナ部３の一部を構成する。そして、当該スキャナ装置２２、原稿載置部２Ａからページ単位で送られる原稿を読み取り、ページ単位の画像データを生成する。スキャナ装置２２により読み取られた画像データは、後にファクシミリ送信される原稿データを構成する。そして、スキャナ装置２２で読み取られた画像データは、送信ファクシミリデータ記憶エリア１３１に格納される。
【００４５】
符号化部２３は、ファクシミリ送信の実行に際し、原稿データを符号化する部分である。そして、復号化部２４は、バッファ２１に記憶された受信データを読み出し、これを復号化する部分である。
【００４６】
レーザプリンタ３０は、上述したように、第１給紙トレイ５１〜第３給紙トレイ５３に格納された記録用紙に対して、復号化部２４で復号化された画像データを印刷する装置である。
そして、検出センサ５４は、第１給紙トレイ５１〜第３給紙トレイ５３に配設されており、各給紙トレイに格納された記録用紙における無線タグの有無を検出するセンサである。
【００４７】
操作パネル１７は、複数のキーで構成された操作部である。当該操作パネル１７は、複数の数字キーやカーソルキー及び上述したスタートキー等を備えている。この操作パネル１７を構成する各キーの操作が行われると、入力信号がＣＰＵ１１に送信され、入力信号に基づく制御が行われる。例えば、当該操作パネル１７は、ファクシミリ送信に際し、「ファクシミリ送信モード」「セット原稿抽出モード」を選択設定する際や、ファクシミリ送信の相手先番号（即ち、ファクシミリ番号）を入力する際（Ｓ１１）に用いられる。又、当該操作パネル１７は、送信履歴指定抽出処理プログラム（図１４参照）において、送信履歴データに基づく抽出条件を選択設定する際に用いられる（Ｓ２２）。更に、当該操作パネル１７は、抽出条件指定抽出処理プログラム（図１８参照）において、抽出条件を入力指定する際に用いられる（Ｓ４２）。
【００４８】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８は、ＦＡＸ送信履歴一覧画面（図１０参照）が、送信履歴記憶エリア１４１の記憶内容に基づいて表示される。又、ＬＣＤ１８は、後述する抽出モード設定画面（図９参照）、送信履歴指定画面（図１５参照）、抽出結果通知画面（図１７参照）、抽出条件指定画面（図１９参照）を表示する。
又、アンプ２７には、スピーカ２８が接続され、呼出音などをこのスピーカ２８から出力する。
【００４９】
そして、トレイモータ２Ｃは、上述したように、原稿排出トレイ２Ｄを第１位置Ｘ、第２位置Ｙに移動するための駆動源である。当該トレイモータ２Ｃは、バスライン２５により、ＣＰＵ１１に接続されている。従って、ファクシミリ装置１は、ＣＰＵ１１による制御に基づき、トレイモータ２Ｃを駆動制御することで、原稿排出トレイ２Ｄを第１位置Ｘ又は第２位置Ｙへ移動させ得る。
【００５０】
更に、ファクシミリ装置１は、ＮＣＵ１９、電話回線４１を介して、交換機２９に接続されている。この交換機２９は、電話回線４２を介して、相手先装置側の交換機（図示せず）に接続され、更に電話回線（図示せず）を介して相手先装置（図示せず）に接続されている。従って、ファクシミリ装置１は、電話回線４１、交換機２９、電話回線４２等を介して、相手先装置に対する原稿データのファクシミリ送信を行うことができる。
【００５１】
次に、本実施形態に係るファクシミリ装置１で利用される送信原稿６１の構成について、図面を参照しつつ詳細に説明する。図５は、送信原稿６１の構成に関する説明図である。
本実施形態に係るファクシミリ装置１で利用される送信原稿６１には、ファクシミリ送信の対象となるユーザ所望の内容が印刷されている。従って、送信原稿６１の印刷内容をスキャナ装置２２で読み取ることにより、ファクシミリ装置１は、送信原稿６１の内容に対応する原稿データを生成し得る。
【００５２】
そして、当該送信原稿６１には、後述する無線タグ６２が付加されている。後述するファックス送信処理プログラム（図１０参照）に基づいて、当該送信原稿６１をファクシミリ送信すると、後述する識別データが当該送信原稿６１に付加されている無線タグ６２に書き込まれる。
【００５３】
次に、ファクシミリ装置１によるファクシミリ送信を行う際の送信原稿６１に対する動作について説明する。
先ず、ユーザは、送信原稿６１（送信原稿６１の枚数は問わない）を原稿載置部２Ａにセットし、相手先等の条件を指定した上で、操作パネル１７のスタートキー（図示せず）を操作する。スタートキーの入力が入力されると、原稿載置部２Ａにセットされた送信原稿６１は、自動原稿送り装置２の原稿搬送機構２Ｂにより、一ページ単位でスキャナ部３の原稿読取位置Ｒに搬送される。
【００５４】
ここで、スキャナ部３のスキャナ装置２２に対し相対移動する送信原稿６１の移動経路には、無線タグリーダ１５によるデータ読出位置及び無線タグライタ１６によるデータ書込位置が設けられている（図１参照）。従って、自動原稿送り装置２により、送信原稿６１がスキャナ装置２２の読取位置へ移動する過程で、無線タグライタ１６は、当該送信原稿６１に付加された無線タグに対して、データ（例えば、後述する識別データ）を書き込むことができる。同様に、送信原稿６１がスキャナ装置２２の読取位置に移動する過程で、無線タグリーダ１５は、当該送信原稿６１に付加された無線タグ６２に格納されているデータ（例えば、後述する識別データ）を読み出すことができる。
【００５５】
この結果、当該ファクシミリ装置１は、スキャナ装置２２による送信原稿６１の画像データの読取とほぼ同時に、無線タグライタ１６によって、送信原稿６１に付加された無線タグ６２に対するデータの書込を行うことができる。同様に、当該ファクシミリ装置１は、原稿載置部２Ａから原稿排出トレイ２Ｄへ搬送される過程で、無線タグリーダ１５によって、無線タグ６２からのデータの読取を行うことができる。
【００５６】
次に、本実施形態に係る無線タグ６２、無線タグリーダ１５、無線タグライタ１６の構成について、図面を参照しつつ詳細に説明する。
【００５７】
先ず、無線タグ６２の構成について説明する。図６に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７を備えている。
アンテナ用コイル６２１は、共振コンデンサ６２２と並列に接続されて共振回路を構成し、無線タグリーダ１５又は無線タグライタ１６から送信される所定の高周波数の電力用電波振動を受信して、電力用電波信号を整流・平滑回路６２３に供給する。
【００５８】
整流・平滑回路６２３は、動力用電源回路を構成する回路である。そして、整流・平滑回路６２３は、共振回路から送信されてきた電力用電波信号を整流・平滑化して一定電圧の直流電力にしてＣＰＵ６２５等に供給する。
【００５９】
尚、無線タグリーダ１５又は無線タグライタ１６からの送信信号は、電力用電波信号に重畳して送信される。そして、当該送信信号は、変復調回路６２４により復調され、ＣＰＵ６２５に与えられる。
【００６０】
ＣＰＵ６２５は、ＲＯＭ６２６に記憶された動作プログラムに従って動作し、変復調回路６２４からの信号に応じた所定の処理を実行する。即ち、ＣＰＵ６２５は、受信したデータ（例えば、後述する識別データ）をＥＥＰＲＯＭ６２７に書き込む書込処理や、ＥＥＰＲＯＭ６２７に格納されているデータ（例えば、後述する識別データ）を読み出し、変復調回路６２４により変調した後、アンテナ用コイル６２１により電波信号として送信する読出処理等を実行する。
【００６１】
尚、当該無線タグ６２において、整流・平滑回路６２３、変復調回路６２４、ＣＰＵ６２５、ＲＯＭ６２６、ＥＥＰＲＯＭ６２７は、ＩＣチップとされ、アンテナ用コイル６２１、共振コンデンサ６２２と共に記録用紙に埋め込まれている。
【００６２】
次に、本実施形態に係る無線タグリーダ１５、無線タグライタ１６の構成について、図面を参照しつつ詳細に説明する。図７は、無線タグリーダ１５、無線タグライタ１６の構成を示すブロック図である。
【００６３】
図７に示すように、無線タグリーダ１５は、受信アンテナ用コイル１５１と、受信部１５２を備えて構成されている。従って、無線タグリーダ１５は、無線タグ６２から送信された電波信号を受信アンテナ用コイル１５１で受信できる。そして、無線タグリーダ１５は、受信アンテナ用コイル１５１で受信した電波信号を受信部１５２で復調する。これにより、無線タグリーダ１５は、無線タグ６２からデータ（例えば、識別データ）を読み出し得る。
【００６４】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信できる。更に、無線タグライタ１６は、送信すべきデータを電力用電波信号に重畳するように送信部１６２で変調して送信アンテナ用コイル１６１から送信できる。これにより、無線タグライタ１６は、無線タグ６２にデータ（例えば、識別データ）を書き込み得る。
【００６５】
次に、本実施形態に係るファクシミリ装置１で実行されるメイン制御プログラムについて、図面を参照しつつ詳細に説明する。図８は、本実施形態に係るメイン制御プログラムのフローチャートである。このメイン制御プログラムに基づく処理は、ファクシミリ装置１の起動中において繰り返し実行される。又、当該メイン制御プログラムの説明に際し、ファクシミリ装置１の原稿載置部２Ａには、原稿が載置されているものとする。この点、原稿載置部２Ａに載置されている原稿は、ファクシミリ送信の対象となると共に、後述する対象セット原稿の抽出対象となる。
【００６６】
メイン制御プログラムの実行が開始されると、先ず、ＣＰＵ１１は、モード設定処理（Ｓ１）を実行する。モード設定処理（Ｓ１）は、当該ファクシミリ装置１で実行し得る各種機能から一の機能をユーザが任意に選択設定する処理である。具体的には、ＣＰＵ１１は、先ず、ＬＣＤ１８に、モード設定画面（図示せず）を表示する。このモード設定画面には、ファクシミリ装置１が実行し得る各種機能を示す選択肢が表示される。例えば、ファックス送信機能に関する選択肢「ファックス送信モード」や、後述するセット原稿抽出機能に関する選択肢「セット原稿抽出モード」等がモード設定画面に表示される。そして、ユーザは、当該モード設定画面を視認しつつ、操作パネル１７を操作し、ファクシミリ装置１における所望の機能を選択する。操作パネル１７によるユーザの操作に基づいて、ＣＰＵ１１は、ユーザの選択結果をＲＡＭ１３に格納し、モード設定処理を終了する。送信モード設定処理（Ｓ１）を終了すると、ＣＰＵ１１は、Ｓ２に処理を移行する。
【００６７】
Ｓ２に移行すると、ＣＰＵ１１は、モード設定処理（Ｓ１）で選択肢「ファックス送信モード」が選択されたか否かを判断する。具体的には、ＣＰＵ１１は、ＲＡＭ１３に格納されているモード選択処理（Ｓ１）の選択結果を参照することで、Ｓ２の判断を行う。「ファックス送信モード」が選択されている場合（Ｓ２：ＹＥＳ）、ＣＰＵ１１は、Ｓ３に処理を移行する。一方、「ファックス送信モード」が選択されていない場合（Ｓ２：ＮＯ）、ＣＰＵ１１は、Ｓ４に処理を移行する。
【００６８】
Ｓ３において、ＣＰＵ１１は、ファックス送信処理を実行する。このファックス送信処理（Ｓ３）では、ＣＰＵ１１は、ファックス送信処理プログラム（図１０参照）を実行する。ファックス送信処理（Ｓ３）において、ＣＰＵ１１は、原稿載置部２Ａに載置されている送信原稿６１に基づく原稿データを、所定の相手先に一通信でファクシミリ送信する。ファックス送信処理（Ｓ３）の詳細については、後に図面を参照しつつ詳細に説明する。ファックス送信処理（Ｓ３）を終了すると、ＣＰＵ１１は、そのままメイン制御プログラムを終了する。この場合、ＣＰＵ１１は、再度メイン制御プログラムの実行を開始する。
【００６９】
尚、本実施形態においては、上記ファックス送信処理（Ｓ３）によって、一通信でファクシミリ送信された原稿データの基礎となった送信原稿６１であり、無線タグ６２に識別データが書き込まれたものを「セット原稿」という。当該「セット原稿」は、ファックス送信処理（Ｓ３）により一通信でファクシミリ送信され、識別データが無線タグ６２に書き込まれた送信原稿６１であればよく、送信原稿６１の枚数は問わない。即ち、１枚の送信原稿６１であっても、当該送信原稿６１は、「セット原稿」に該当し得る。
【００７０】
Ｓ４に移行すると、ＣＰＵ１１は、モード設定処理（Ｓ１）で「セット原稿抽出モード」が選択されたか否かを判断する。具体的には、ＣＰＵ１１は、ＲＡＭ１３に格納されたモード設定処理（Ｓ１）の選択結果に基づいて、Ｓ４の判断を行う。「セット原稿抽出モード」が選択設定されている場合（Ｓ４：ＹＥＳ）、ＣＰＵ１１は、Ｓ５に処理を移行する。一方、「セット原稿抽出モード」が選択設定されていない場合（Ｓ４：ＮＯ）、ＣＰＵ１１は、Ｓ８に処理を移行する。
【００７１】
Ｓ５においては、ＣＰＵ１１は、「セット原稿抽出モード」の抽出方式として「送信履歴指定」が設定されているか否かを判断する。
具体的には、ＣＰＵ１１は、Ｓ５に移行した時点で、抽出モード設定画面（図９参照）をＬＣＤ１８に表示する。図９に示すように、抽出モード設定画面は、選択肢「送信履歴指定」と、選択肢「抽出条件指定」の２つの選択肢を含んでいる。従って、ユーザは、抽出モード設定画面を視認しつつ、操作パネル１７の操作により所望の選択肢を選択する。ユーザによる選択操作に基づいて、ＣＰＵ１１は、抽出モード設定画面における選択結果をＲＡＭ１３に格納する。そして、ＣＰＵ１１は、ＲＡＭ１３を参照し、抽出モード設定画面における選択結果に基づいて、Ｓ５の判断を行う。選択肢「送信履歴指定」が選択設定されている場合（Ｓ５：ＹＥＳ）、ＣＰＵ１１は、送信履歴指定抽出処理（Ｓ６）に処理を移行する。一方、選択肢「抽出条件指定」が選択設定されている場合（Ｓ５：ＮＯ）、ＣＰＵ１１は、抽出条件指定抽出処理（Ｓ７）に処理を移行する。
【００７２】
Ｓ６では、ＣＰＵ１１は、送信履歴指定抽出処理を実行する。この送信履歴指定抽出処理（Ｓ６）では、ＣＰＵ１１は、送信履歴指定抽出処理プログラムを実行する。即ち、送信履歴指定抽出処理（Ｓ６）では、ＣＰＵ１１は、ユーザが指定した送信履歴に対応する条件（例えば、送信先や日時等）に基づいて、多くの送信原稿６１で構成される対象原稿７０から、先にファックス送信処理（Ｓ３）で送信されたセット原稿に該当する送信原稿６１を抽出する。送信履歴指定抽出処理（Ｓ６）を終了すると、ＣＰＵ１１は、そのままメイン制御プログラムを終了する。この場合、ＣＰＵ１１は、再度メイン制御プログラムの実行を開始する。尚、送信履歴指定抽出処理プログラムの詳細は、後に図面を参照しつつ詳細に説明する。
【００７３】
一方、Ｓ７においては、ＣＰＵ１１は、抽出条件指定抽出処理を実行する。この抽出条件指定抽出処理（Ｓ７）では、ＣＰＵ１１は、抽出条件指定抽出処理プログラムを実行する。即ち、抽出条件指定抽出処理（Ｓ７）では、ＣＰＵ１１は、ユーザが任意に指定した抽出条件に基づいて、多くの送信原稿６１で構成される対象原稿７０から、先にファックス送信処理（Ｓ３）で送信されたセット原稿に該当する送信原稿６１を抽出する。抽出条件指定抽出処理（Ｓ７）を終了すると、ＣＰＵ１１は、そのままメイン制御プログラムを終了する。この場合も、ＣＰＵ１１は、再度メイン制御プログラムの実行を開始する。尚、抽出条件指定抽出処理プログラムの詳細については、後に図面を参照して説明する。
【００７４】
そして、モード設定処理（Ｓ１）において、「ファックス送信モード」、「セット原稿抽出モード」以外の選択肢が選択された場合（Ｓ２：ＮＯ、Ｓ４：ＮＯ）、ＣＰＵ１１は、その他の処理（Ｓ８）を実行する。当該その他の処理（Ｓ８）では、ＣＰＵ１１は、モード設定処理（Ｓ１）による設定内容に応じて、種々の処理を実行する。例えば、ＣＰＵ１１は、その他の処理（Ｓ８）として、ファクシミリ送信処理（Ｓ３）でファクシミリ送信を行う際に、送信原稿６１の無線タグ６２に識別データを書き込むか否かを設定する処理を行う。当該設定内容は、ユーザが任意に設定し得る。又、当該設定内容は、フラッシュメモリ１４に格納される。その他の処理（Ｓ８）を終了すると、ＣＰＵ１１は、そのままメイン制御プログラムを終了する。この場合も、ＣＰＵ１１は、再度メイン制御プログラムの実行を開始する。
【００７５】
次に、本実施形態に係るファックス送信処理プログラムについて、図面を参照しつつ詳細に説明する。図１０は、ファックス送信処理プログラムのフローチャートである。上述したように、ファックス送信処理プログラムは、ファックス送信処理（Ｓ３）で、ＣＰＵ１１により実行される。
【００７６】
ファックス送信処理（Ｓ３）に移行すると、ＣＰＵ１１は、先ず、送信先入力処理を実行する（Ｓ１１）。この送信先入力処理（Ｓ１１）では、ユーザは、操作パネル１７を操作し、原稿載置部２Ａに載置された送信原稿６１の送信先（例えば、ファクシミリ番号）を入力する。ＣＰＵ１１は、操作パネル１７からの入力信号に基づく送信先データをＲＡＭ１３に格納する。当該送信先データをＲＡＭ１３に格納した後、ＣＰＵ１１は、Ｓ１２に処理を移行する。
【００７７】
Ｓ１２に移行すると、ＣＰＵ１１は、「現在、識別データ書込設定が有効であるか否か」を判断する。「識別データ書込設定」とは、送信原稿６１に基づくファクシミリ送信を行う際に、当該送信原稿６１に付加された無線タグ６２に、後述する識別データを書き込むか否かに関する設定項目である。従って、ＣＰＵ１１は、その他の処理（Ｓ８）でフラッシュメモリ１４に格納された設定内容に基づいて、Ｓ１２の判断を行う。識別データ書込設定が有効である場合（Ｓ１２：ＹＥＳ）、ＣＰＵ１１は、Ｓ１３に処理を移行する。一方、識別データ書込設定が有効でない場合（Ｓ１２：ＮＯ）、ＣＰＵ１１は、通常原稿読取処理（Ｓ２０）に処理を移行する。
【００７８】
Ｓ１３においては、ＣＰＵ１１は、原稿載置部２Ａに載置されている原稿に無線タグ６２が付加されているか否かを判断する。即ち、ＣＰＵ１１は、無線タグ６２を備える送信原稿６１が原稿載置部２Ａに載置されているか否かを判断する。無線タグ６２が付加されているか否かについては、例えば、一旦、一枚目の原稿を無線タグリーダ１５付近まで搬送し、無線タグリーダ１５からの検出結果により無線タグ６２の有無を判断することができる。無線タグ６２を備える送信原稿６１が原稿載置部２Ａに載置されている場合（Ｓ１３：ＹＥＳ）、ＣＰＵ１１は、Ｓ１４に処理を移行する。一方、無線タグ６２のない原稿が原稿載置部２Ａに載置されている場合（Ｓ１３：ＮＯ）、ＣＰＵ１１は、通常原稿読取処理（Ｓ２０）に処理を移行する。
【００７９】
Ｓ１４では、ＣＰＵ１１は、原稿データ読取処理を実行する。この原稿データ読取処理（Ｓ１４）においては、ＣＰＵ１１は、原稿載置部２Ａに載置されている送信原稿６１から、１ページ分の送信原稿６１をスキャナ部３により読み取る。そして、ＣＰＵ１１は、読み取った画像データを１ページ分の原稿データとして、送信ファクシミリデータ記憶エリア１３１に格納する。送信ファクシミリデータ記憶エリア１３１に１ページ分の原稿データを格納した後、ＣＰＵ１１は、Ｓ１５に処理を移行する。尚、原稿載置部２Ａに載置されている送信原稿６１の１ページ目に対する原稿データ読取処理（Ｓ１２）を実行した場合、ＣＰＵ１１は、１ページ目の送信原稿６１の読取日時を日時データとしてＲＡＭ１３に格納する。
【００８０】
Ｓ１５では、ＣＰＵ１１は、識別データ書込処理を実行する。この識別データ書込処理（Ｓ１５）においては、ＣＰＵ１１は、原稿データ読取処理（Ｓ１４）で読み取られた１ページ分の送信原稿６１に付加された無線タグ６２に対して、無線タグライタ１６により識別データを書き込む。当該送信原稿６１の無線タグ６２に識別データを書き込んだ後、ＣＰＵ１１は、Ｓ１６に処理を移行する。
【００８１】
ここで、識別データ書込処理（Ｓ１５）で無線タグ６２に書き込まれる識別データについて、図面を参照しつつ説明する。図１１は、無線タグ６２に書き込まれた識別データの内容に関する説明図である。
図１１に示すように、識別データは、送信先データと、日時データと、ページ番号データとにより構成されている。送信先データは、当該送信原稿６１に基づくファクシミリ送信の送信相手先を示すデータである。当該送信先データは、送信先入力処理（Ｓ１１）で入力された内容に基づいて生成され、ＲＡＭ１３に格納されている。例えば、送信先入力処理（Ｓ１１）で入力されたファクシミリ番号を示すデータが、当該送信先データに該当する（図１１参照）。
【００８２】
そして、日時データは、当該送信原稿６１に基づくファクシミリ送信に関する処理の日時を示すデータである。本実施形態の日時データは、「2007/12/12  12:35」のように、
当該ファクシミリ送信における１ページ目の送信原稿６１に基づく原稿データを読み取った日時を示す（図１１参照）。上述したように、当該日時データは、原稿データ読取処理（Ｓ１４）においてＲＡＭ１３に格納される。
【００８３】
ページ番号データは、当該送信原稿６１に基づくファクシミリ送信において、現在対象となっている１ページ分の送信原稿６１が相手先に送信される順序を示すデータである。この点、ファックス送信処理（Ｓ３）では、ＣＰＵ１１は、送信原稿６１から原稿データを読み取った順に、所定の送信相手先に送信する。従って、当該ページ番号データは、１ページ分の送信原稿６１をスキャナ部３で読み取った順序にも連動している。例えば、このファクシミリ送信に際し、最初に読み取られた送信原稿６１のページ番号データは、「ページ番号：１」を示す（図１１参照）。又、原稿載置部２Ａに複数枚の送信原稿６１が載置されている場合、１ページ分の送信原稿６１に対する処理（Ｓ１４、Ｓ１５）を終了する毎に、当該ページ番号データが示す番号は、１ずつ順次加算される。
【００８４】
つまり、原稿データ読取処理（Ｓ１４）により、１ページ分の送信原稿６１に係る原稿データを送信ファクシミリデータ記憶エリア１３１に格納すると、ＣＰＵ１１は、当該送信原稿６１の無線タグ６２に、ＲＡＭ１３の記憶内容に基づく各データを識別データとして書き込む（Ｓ１５）。具体的には、ＣＰＵ１１は、ＲＡＭ１３に格納されている送信先データ、日時データ、ページ番号データを、無線タグライタ１６により、当該送信原稿６１における無線タグ６２のＥＥＰＲＯＭ６２７に識別データとして書き込む。無線タグ６２に識別データとして書き込まれた送信先データ、日時データ、ページ番号データは、夫々、識別詳細データを構成する。その結果、複数の送信原稿６１が存在する場合であれば、無線タグ６２に書き込まれる識別データのうち、送信先データ、日時データは全ての送信原稿６１の識別データに共通した内容であり、ページ番号データのみがページ順に従って更新されたものとなる。
【００８５】
Ｓ１６に移行すると、ＣＰＵ１１は、原稿載置部２Ａに載置された全ての送信原稿６１について、処理（Ｓ１４、Ｓ１５）を完了したか否かを判断する。具体的には、ＣＰＵ１１は、原稿載置部２Ａ上に送信原稿６１が存在するか否かを判断する。すべての送信原稿６１に対する処理（Ｓ１４、Ｓ１５）を完了している場合（Ｓ１６：ＹＥＳ）、ＣＰＵ１１は、Ｓ１７に処理を移行する。一方、未だ全ての送信原稿６１に対する処理を完了していない場合（Ｓ１６：ＮＯ）、ＣＰＵ１１は、Ｓ１４に処理を戻す。この場合、ＣＰＵ１１は、原稿載置部２Ａに存在する次ページの送信原稿６１に対する処理（Ｓ１４、Ｓ１５）を開始する。
【００８６】
Ｓ１７においては、ＣＰＵ１１は、送信履歴データ生成処理を実行する。この送信履歴データ生成処理（Ｓ１７）では、ＣＰＵ１１は、当該送信原稿６１のファクシミリ送信に関する送信履歴データを生成する。具体的には、ＣＰＵ１１は、ＲＡＭ１３に格納されている送信先データ、日時データ等に基づいて、送信履歴データを生成する。生成した送信履歴データを一旦ＲＡＭ１３に格納した後、ＣＰＵ１１は、Ｓ１８に処理を移行する。
【００８７】
ここで、送信履歴データは、送信先データ、日時データ、枚数データにより構成される（図１２参照）。送信履歴データを構成する送信先データ、日時データは、識別データ書込処理（Ｓ１５）で、当該送信原稿６１の無線タグ６２に書き込まれる識別データの送信先データ、日時データと同一内容を示す。そして、枚数データは、当該ファクシミリ送信で送信される送信原稿６１の枚数を示すデータである。具体的には、Ｓ１７に移行した時点におけるページ番号データが示す数値は、枚数データの値に相当する。従って、ＣＰＵ１１は、ＲＡＭ１３に格納されている送信先データ、日時データと、Ｓ１７移行時のページ番号データに基づく枚数データと、に基づいて、当該ファクシミリ送信に関する送信履歴データを生成する。送信履歴データを構成する送信先データ、日時データ、枚数データは、夫々、送信履歴データの詳細を示す履歴詳細データを構成する。
【００８８】
尚、通常原稿送信読取処理（Ｓ２０）により、ファクシミリ送信する場合も、ＣＰＵ１１は、送信履歴データを生成する。この場合の送信履歴データも、送信先データ、日時データ、枚数データにより構成される。この場合の送信先データは、上記の場合と同様に、送信先入力処理（Ｓ１１）の入力内容に基づくデータである。又、この場合の日時データは、ファクシミリ送信の対象となる原稿の１ページ目の読取日時を示す。そして、この場合の枚数データも、ファクシミリ送信の対象となる原稿の総枚数を示す。
【００８９】
Ｓ１８に移行すると、ＣＰＵ１１は、原稿データ送信処理を実行する。原稿データ送信処理（Ｓ１８）においては、ＣＰＵ１１は、送信ファクシミリデータ記憶エリア１３１内の原稿データを、送信先入力処理（Ｓ１１）で指定された送信先にファクシミリ送信する。ここで、送信される原稿データは、Ｓ１４の処理により読み取られた全ての送信原稿６１に基づく画像データ、又は、通常原稿読取処理により読み取られた全ての原稿に基づく画像データである。当該原稿データは、一通信で送信先にファクシミリ送信される。原稿データ送信処理（Ｓ１８）を終了すると、ＣＰＵ１１は、Ｓ１９に処理を移行する。
【００９０】
Ｓ１９においては、ＣＰＵ１１は、送信履歴データ格納処理を実行する。この送信履歴データ格納処理（Ｓ１９）では、ＣＰＵ１１は、送信履歴データ生成処理（Ｓ１７）で生成された送信履歴データを送信履歴記憶エリア１４１に格納する。ＣＰＵ１１は、送信履歴データ生成処理（Ｓ１７）で生成された送信履歴データを、ＲＡＭ１３から読み出し、送信履歴記憶エリア１４１に、一のファクシミリ送信毎に格納する（図１２参照）。送信履歴記憶エリア１４１に送信履歴データを格納した後、ＣＰＵ１１は、ファックス送信処理プログラムを終了する。
【００９１】
ここで、「識別データ書込設定」が無効である場合（Ｓ１２：ＮＯ）や、原稿載置部２Ａに送信原稿６１が載置されていない場合（Ｓ１３：ＮＯ）、ＣＰＵ１１は、通常原稿読取処理（Ｓ２０）を実行する。この通常原稿読取処理（Ｓ２０）では、ＣＰＵ１１は、原稿載置部２Ａに載置されている全ての原稿を対象として、１ページ単位で画像データを読み取る。そして、ＣＰＵ１１は、当該画像データを原稿データとして送信ファクシミリデータ記憶エリア１３１に格納する。即ち、この通常原稿読取処理（Ｓ２０）では、無線タグ６２への書込を行うことはない。又、この時、ＣＰＵ１１は、日時データ及び枚数データをＲＡＭ１３に格納する。この点については、上述の場合と同様であるため、その説明を省略する。原稿載置部２Ａ上の全ての原稿に基づく原稿データを送信ファクシミリデータ記憶エリア１３１に格納すると、ＣＰＵ１１は、Ｓ１７に処理を移行する。
【００９２】
尚、本実施形態において、送信履歴記憶エリア１４１に格納された送信履歴データの内容は、ＬＣＤ１８に表示されるＦＡＸ送信履歴一覧画面により参照することができる。
【００９３】
このファックス送信処理プログラムにより、Ｓ１４、Ｓ１５を経て一送信で送信された送信原稿６１は、一のセット原稿を構成する。そして、当該セット原稿と、別の時期にＳ１４、Ｓ１５を経て一通信で送信されたセット原稿とは、少なくとも識別データにおける日時データが相違する。従って、複数のセット原稿が混在してしまった場合であっても、無線タグ６２に書き込まれた識別データを参照することで、両セット原稿を構成する送信原稿６１を分別することができる。
【００９４】
ここで、本実施形態に係るファクシミリ装置１における「セット原稿抽出モード」について説明する。図１３は、セット原稿抽出モードを概念的に示す説明図である。
図１３に示すように、「セット原稿抽出モード」の対象となる対象原稿７０は、対象セット原稿７５と、非対象セット原稿８０により構成されている。ここで、対象セット原稿７５は、ユーザ所望のセット原稿を示す。一方、非対象セット原稿８０は、対象原稿７０に含まれる対象セット原稿７５以外の原稿を示す。
【００９５】
即ち、「セット原稿抽出モード」とは、ファクシミリ装置１において、多量の原稿で構成される対象原稿７０の中から、ユーザ所望の対象セット原稿７５を抽出するモードである。そして、ファクシミリ装置１は、対象セット原稿７５の無線タグ６２に格納されている識別データと、ユーザ指定の抽出条件に基づいて、対象原稿７０から対象セット原稿７５を抽出する。ユーザによる抽出条件の指定は、送信履歴データを介して指定する場合（Ｓ６）と、ユーザ自らが詳細な抽出条件を設定する場合（Ｓ７）の何れかにより行われる。
【００９６】
これにより、当該ファクシミリ装置１は、「大量の原稿で構成される対象原稿７０の中から、その内容を精査することなく、ユーザ所望の対象セット原稿７５を選び出せる」という利便性をユーザに提供し得る。
【００９７】
続いて、本実施形態に係る送信履歴指定抽出処理プログラムについて、図面を参照しつつ詳細に説明する。図１４は、送信履歴指定抽出処理プログラムのフローチャートである。上述したように、送信履歴指定抽出処理プログラムは、送信履歴指定抽出処理（Ｓ６）で、ＣＰＵ１１により実行される。
尚、この送信履歴指定抽出処理（Ｓ６）の説明においては、図１３に示すように、対象セット原稿７５を含む複数枚の原稿で構成される対象原稿７０が原稿載置部２Ａに載置されているものとする。
【００９８】
送信履歴指定抽出処理（Ｓ６）に移行すると、ＣＰＵ１１は、先ず、無線タグ６２が付加された原稿（即ち、送信原稿６１）が原稿載置部２Ａに載置されている対象原稿７０に含まれているか否かを判断する（Ｓ２１）。無線タグ６２を備える原稿が対象原稿７０に含まれている場合（Ｓ２１：ＹＥＳ）、ＣＰＵ１１は、Ｓ２２に処理を移行する。無線タグ６２を備える原稿が対象原稿７０に含まれていない場合（Ｓ２１：ＮＯ）、ＣＰＵ１１は、そのまま送信履歴指定抽出処理プログラムを終了する。無線タグ６２が付加されているか否かについては、上記と同様に、例えば、一旦、一枚目の原稿を無線タグリーダ１５付近まで搬送し、無線タグリーダ１５からの検出結果により無線タグ６２の有無を判断することができる。また、原稿載置部２Ａに無線タグ６２の有無を確認するための無線タグリーダ（図示せず）を設けておき、原稿載置部２Ａに対象原稿７０をセットするだけで、無線タグ６２の有無が確認できる構成であってもよい。
【００９９】
Ｓ２２においては、ＣＰＵ１１は、送信履歴選択処理を実行する。この送信履歴選択処理（Ｓ２２）では、ＣＰＵ１１は、先ず、送信履歴指定画面（図１５参照）をＬＣＤ１８に表示する。図１５に示すように、送信履歴指定画面は、送信履歴記憶エリア１４１に格納されている各送信履歴データの内容を一覧表示したものである。従って、ユーザは、当該送信履歴指定画面を視認しつつ、操作パネル１７の操作により所望の送信履歴を選択し得る。そして、ＣＰＵ１１は、操作パネル１７からの操作信号により、ユーザによって選択された送信履歴（即ち、送信履歴データ）を特定する。
送信履歴選択処理（Ｓ２２）を終了すると、ＣＰＵ１１は、Ｓ２３に処理を移行する。
【０１００】
Ｓ２３に移行すると、ＣＰＵ１１は、履歴詳細データ取得処理を実行する。この履歴詳細データ取得処理（Ｓ２３）では、ＣＰＵ１１は、送信履歴選択処理（Ｓ２２）で特定された当該送信履歴データの履歴詳細データを取得する。そして、ＣＰＵ１１は、取得した履歴詳細データ（即ち、送信先データ、日時データ、枚数データ）を、抽出条件としてＲＡＭ１３に格納する。ユーザ所望の送信履歴データを構成する履歴詳細データを抽出条件としてＲＡＭ１３に格納すると、ＣＰＵ１１は、Ｓ２４に処理を移行する。
【０１０１】
本実施形態に係るファクシミリ装置１は、上記送信履歴選択処理（Ｓ２２）、履歴詳細データ取得処理（Ｓ２３）を実行することにより、送信履歴データを用いて、ユーザ所望の送信履歴に関する抽出条件を設定し得る。この場合、ユーザ所望の送信履歴に対応するセット原稿が、図１３における対象セット原稿７５に該当する。
【０１０２】
Ｓ２４に移行すると、ＣＰＵ１１は、識別データ取得処理を実行する。この識別データ取得処理（Ｓ２４）では、ＣＰＵ１１は、先ず、原稿載置部２Ａに載置されている対象原稿７０から、１ページ分の原稿を原稿排出トレイ２Ｄに向かって搬送する。そして、ＣＰＵ１１は、無線タグリーダ１５により、原稿載置部２Ａから搬送された当該原稿の無線タグ６２から識別データを取得する。取得した識別データをＲＡＭ１３に格納した後、ＣＰＵ１１は、Ｓ２５に処理を移行する。
【０１０３】
Ｓ２５においては、ＣＰＵ１１は、識別データ取得処理（Ｓ２４）で搬送されている１ページ分の原稿が対象セット原稿７５に該当するか否かを判断する。具体的には、ＣＰＵ１１は、当該原稿の無線タグ６２から取得された識別詳細データと、抽出条件としてＲＡＭ１３に設定されている履歴詳細データに基づいて、Ｓ２５の判断を行う。識別詳細データの送信先データ及び日時データが抽出条件に係る履歴詳細データの送信先データ及び日時データと一致している場合、ＣＰＵ１１は、当該原稿を対象セット原稿７５に該当する原稿と判断する。一方、当該識別詳細データと当該履歴詳細データにおいて、送信先データ、日時データの何れか一方でも異なっている場合、ＣＰＵ１１は、当該原稿は対象セット原稿７５でない（即ち、非対象セット原稿８０である）と判断する。当該原稿が対象セット原稿７５に該当する場合（Ｓ２５：ＹＥＳ）、ＣＰＵ１１は、Ｓ２６に処理を移行する。そして、当該原稿が非対象セット原稿８０に該当する場合（Ｓ２５：ＮＯ）、ＣＰＵ１１は、Ｓ２８に処理を移行する。このとき、ＣＰＵ１１は、非対象セット原稿である原稿から取得した識別データをＲＡＭ１３から消去する。よって、ＲＡＭ１３には、Ｓ２５において、対象セット原稿７５に該当すると判断された原稿から取得した識別データのみが保持される。
【０１０４】
Ｓ２６では、ＣＰＵ１１は、一致回数加算処理を実行する。この一致回数加算処理では、ＣＰＵ１１は、処理対象となった原稿の識別詳細データが抽出条件として設定された履歴詳細データと一致した回数を示す一致回数カウンタの値に、「１」を加算する。つまり、一致回数は、対象原稿７０から、対象セット原稿７５として抽出された原稿の枚数を示す。そして、当該一致回数カウンタは、一の記憶領域として、ＲＡＭ１３に形成されている。一致回数カウンタの値に「１」を加算した後、ＣＰＵ１１は、一致回数加算処理（Ｓ２６）を終了し、Ｓ２７に処理を移行する。
【０１０５】
尚、一致回数加算処理（Ｓ２６）は、識別データ取得処理（Ｓ２４）で搬送開始された原稿が原稿排出トレイ２Ｄへ排出される前に処理を終了する。即ち、Ｓ２７移行時においては、当該原稿は、未だ原稿排出トレイ２Ｄへ搬送されている途上にある。
【０１０６】
Ｓ２７に移行すると、ＣＰＵ１１は、第１位置搬送処理を実行する。第１位置搬送処理（Ｓ２７）では、ＣＰＵ１１は、先ず、トレイモータ２Ｃを駆動制御し、原稿排出トレイ２Ｄを第１位置Ｘに配置する（図３参照）。そして、ＣＰＵ１１は、第１位置Ｘに配置された原稿排出トレイ２Ｄに対して、当該原稿を排出する。第１位置に配置された原稿排出トレイ２Ｄに当該原稿を排出した後、ＣＰＵ１１は、Ｓ２９に処理を移行する。
【０１０７】
一方、識別データ取得処理（Ｓ２４）で搬送された１ページ分の原稿が非対象セット原稿８０である場合（Ｓ２５：ＮＯ）に移行するＳ２８では、ＣＰＵ１１は、第２位置搬送処理を実行する。尚、この第２位置搬送処理（Ｓ２８）を開始する時点において、当該原稿は、原稿排出トレイ２Ｄへ搬送されている途上にある。第２位置搬送処理（Ｓ２８）に移行すると、ＣＰＵ１１は、先ず、トレイモータ２Ｃを駆動制御し、原稿排出トレイ２Ｄを第２位置Ｙに配置する（図３参照）。そして、ＣＰＵ１１は、第２位置Ｙに配置された原稿排出トレイ２Ｄに対して、当該原稿を排出する。第２位置Ｙに配置された原稿排出トレイ２Ｄに当該原稿を排出した後、ＣＰＵ１１は、Ｓ２９に処理を移行する。
【０１０８】
このように、対象原稿７０の内、対象セット原稿７５に該当する原稿は、第１位置Ｘに位置した原稿排出トレイ２Ｄに排出される。一方、非対象セット原稿８０に該当する原稿は、第２位置に位置する原稿排出トレイ２Ｄに排出される。ここで、原稿排出トレイ２Ｄ内に排出された原稿は、原稿排出トレイ２Ｄ内の位置を変えることなく、原稿排出トレイ２Ｄと共に移動する。そして、図３に示すように、対象セット原稿７５、非対象セット原稿８０の何れであっても、対象原稿７０は、所定の原稿排出位置Ｐから原稿排出トレイ２Ｄ上に排出される。従って、当該ファクシミリ装置１は、対象セット原稿７５と非対象セット原稿８０が相互にずれた態様で（図１６参照）、対象原稿７０を原稿排出トレイ２Ｄ上に排出し得る。
【０１０９】
Ｓ２９においては、ＣＰＵ１１は、一致回数カウンタの数値が当該送信履歴データを構成する枚数データの数値と一致するか否かを判断する。即ち、Ｓ２９では、ＣＰＵ１１は、対象原稿７０から対象セット原稿７５に該当する全ての原稿を抽出したか否かを判断する。一致回数と枚数データの数値が一致する場合（Ｓ２９：ＹＥＳ）、ＣＰＵ１１は、Ｓ３１に処理を移行する。一方、一致回数と枚数データの数値が一致しない場合（Ｓ２９：ＮＯ）、ＣＰＵ１１は、Ｓ３０に処理を移行する。
【０１１０】
Ｓ３０においては、ＣＰＵ１１は、対象原稿７０を構成する全ての原稿に対する処理（Ｓ２４〜Ｓ２９）を終了しているか否かを判断する。全ての対象原稿７０に対する処理を完了している場合（Ｓ３０：ＹＥＳ）、ＣＰＵ１１は、Ｓ３１に処理を移行する。一方、全ての対象原稿７０に対する処理を完了していない場合（Ｓ３０：ＮＯ）、ＣＰＵ１１は、Ｓ２４に処理を戻す。この場合、ＣＰＵ１１は、対象原稿７０における次ページに係る原稿に対する処理（Ｓ２４〜Ｓ２９）を実行する。
【０１１１】
Ｓ３１に移行すると、ＣＰＵ１１は、抽出結果通知処理を実行する。この抽出結果通知処理（Ｓ３１）では、ＣＰＵ１１は、送信履歴指定抽出処理の結果に基づく抽出結果通知画面をＬＣＤ１８に表示する（図１７参照）。抽出結果通知画面をＬＣＤ１８に表示し、抽出結果をユーザに通知した後、ＣＰＵ１１は、抽出結果通知処理を終了する。抽出結果通知処理（Ｓ３１）を終了すると、ＣＰＵ１１は、送信履歴指定抽出処理プログラムを終了する。
【０１１２】
ここで、抽出結果通知処理（Ｓ３１）は、上述した２つの場合において実行される。先ず、第１の場合は、対象原稿７０から対象セット原稿７５に該当する全ての原稿を抽出した場合（Ｓ２９：ＹＥＳ）である。この場合、抽出結果通知処理（Ｓ３１）において、ＣＰＵ１１は、対象セット原稿７５を構成する全ての原稿を抽出した旨を示す抽出結果通知画面をＬＣＤ１８に表示する。
【０１１３】
一方、第２の場合は、対象セット原稿７５に該当する原稿の内、対象原稿７０に含まれていない原稿が存在する場合（Ｓ２９：ＮＯ、Ｓ３０：ＹＥＳ）である。つまり、この場合とは、対象セット原稿７５に該当する全ての原稿を対象原稿７０から抽出する前に、全ての対象原稿７０に対する処理を終了した場合である。この場合、抽出結果通知処理（Ｓ３１）において、ＣＰＵ１１は、対象セット原稿７５を構成する上で、不足する原稿が存在する旨を示す抽出結果通知画面をＬＣＤ１８に表示する（図１７参照）。
【０１１４】
図１７に示すように、抽出結果通知画面には、「合計枚数」「抽出枚数」「抽出ページ数」「不足ページ」の４項目が表示される。「合計枚数」は、対象セット原稿に該当する原稿の合計枚数を示す。つまり、「合計枚数」は、送信履歴選択処理（Ｓ２２）で選択された送信履歴データの枚数データに基づいて表示される。そして、「抽出枚数」は、対象原稿７０から抽出した対象セット原稿７５に該当する原稿の枚数を示す。つまり、「抽出枚数」は、上記一致回数カウンタの数値に基づいて表示される。そして、この第１の場合、対象セット原稿７５に該当する全ての原稿を抽出しているので、「合計枚数」と「抽出枚数」の表示内容は一致する。一方、第２の場合、「抽出枚数」が示す数値（例えば、「４ページ」）は、「合計枚数」が示す数値（例えば、「５ページ」）を下回る。
【０１１５】
「抽出ページ順」は、対象原稿７０から抽出した対象セット原稿７５に該当する原稿の順番をページ番号により示す。上述したように、Ｓ２４〜Ｓ２９の処理は、対象原稿７０を１ページ分の原稿単位で実行する。従って、対象セット原稿７５に該当する原稿の無線タグ６２から取得されたページ番号データも、抽出された順番に従ってＲＡＭ１３に格納されている。ＣＰＵ１１は、ＲＡＭ１３に格納されている対象セット原稿７５に係る識別データに含まれるページ番号データと、当該ページ番号データが格納されている順番に基づいて、上記態様で「抽出ページ順」を表示し得る。
【０１１６】
そして、「不足ページ」は、対象原稿７０から抽出した対象セット原稿７５において、対象セット原稿７５を完全に再現する上で不足している原稿のページ番号を示す。この「不足ページ」は、ＲＡＭ１３に格納されている対象セット原稿７５に係る各ページ番号データと、対象セット原稿７５に係る枚数データに基づいて表示される。即ち、ＣＰＵ１１は、当該枚数データに基づいて、対象セット原稿７５を構成する原稿の枚数を特定した上で、各ページ番号データが示すページ番号と比較する。これにより、ＣＰＵ１１は、対象原稿７０から抽出されていない対象セット原稿のページ番号を特定することができ、これに基づいて「不足ページ」を通知し得る（図１７参照）。この点、上記第１の場合、対象セット原稿７５に該当する全ての原稿を抽出しているので、当該「不足ページ」は、対象セット原稿７５における不足ページを通知することはない。
【０１１７】
次に、本実施形態に係る抽出条件指定抽出処理プログラムについて、図面を参照しつつ詳細に説明する。図１８は、抽出条件指定抽出処理プログラムのフローチャートである。上述したように、抽出条件指定抽出処理プログラムは、抽出条件指定抽出処理（Ｓ７）で、ＣＰＵ１１により実行される。尚、この抽出条件指定抽出処理（Ｓ７）の説明においても、対象原稿７０が原稿載置部２Ａに載置されているものとする。
【０１１８】
抽出条件指定抽出処理（Ｓ７）に移行すると、ＣＰＵ１１は、先ず、無線タグ６２が付加された原稿（即ち、送信原稿６１）が原稿載置部２Ａに載置されている対象原稿７０に含まれているか否かを判断する（Ｓ４１）。この処理は、図１４のＳ２１の処理と同様である。無線タグ６２を備える原稿が対象原稿７０に含まれている場合（Ｓ４１：ＹＥＳ）、ＣＰＵ１１は、Ｓ４２に処理を移行する。無線タグ６２を備える原稿が対象原稿７０に含まれていない場合（Ｓ４１：ＮＯ）、ＣＰＵ１１は、そのまま送信履歴指定抽出処理プログラムを終了する。
【０１１９】
Ｓ４２に移行すると、ＣＰＵ１１は、抽出条件指定処理を実行する。抽出条件指定処理（Ｓ４２）では、ＣＰＵ１１は、先ず、抽出条件指定画面（図１９参照）をＬＣＤ１８に表示する。図１９に示すように、抽出条件指定画面には、送信先抽出条件入力欄と、日時抽出条件入力欄とが表示される。従って、ユーザは、操作パネル１７を操作することで、送信先抽出条件入力欄と日時抽出条件入力欄の何れかに所望の抽出条件を入力する。ユーザの操作により、送信先抽出条件入力欄又は日時抽出条件入力欄に抽出条件が入力されると、ＣＰＵ１１は、ユーザ操作に基づく入力結果を、抽出条件としてＲＡＭ１３に格納する。これにより、ファクシミリ装置１は、抽出条件指定抽出処理（Ｓ７）における抽出条件を設定する。入力結果をＲＡＭ１３に格納した後、ＣＰＵ１１は、抽出条件指定処理（Ｓ４２）を終了し、Ｓ４３に処理を移行する。
【０１２０】
ここで、抽出条件指定処理（Ｓ４２）における抽出条件の設定について、更に詳細に説明する。先ず、送信先抽出条件を設定する場合について説明する。この場合、ユーザは、送信先抽出条件入力欄に、対象セット原稿７５に係る送信先データ（例えば、ファクシミリ番号）を入力する。図１９に示す場合、ユーザは、操作パネル１７を操作し、送信先抽出条件入力欄に「XXX-4567」という送信先データを入力している。この場合、ＣＰＵ１１は、入力された送信先データの内容（即ち、「XXX-4567」）を送信先抽出条件として設定する（Ｓ４２）。この結果、ファクシミリ装置１は、後述の処理（Ｓ４４〜Ｓ４８）により、対象原稿７０から、「XXX-4567」という送信先データが無線タグ６２に書き込まれている対象セット原稿７５を抽出し得る。
【０１２１】
尚、送信先抽出条件の設定に際し、電話帳データ記憶エリア１４２に格納されている相手先名称を入力し得るように構成することも可能である。この場合、ＣＰＵ１１は、入力された相手先名称に対応する電話帳データを参照し、当該相手先名称に係るファクシミリ番号を特定する。そして、ＣＰＵ１１は、当該ファクシミリ番号を送信先抽出条件として設定する。
【０１２２】
続いて、日時抽出条件を設定する場合について説明する。この場合、ユーザは、操作パネル１７を操作し、日時抽出条件入力欄に対して、所望の日時を入力する。ここで、日時抽出条件入力欄は、開始日時入力欄と、終了日時入力欄とにより構成されている。開始日時入力欄は、ユーザ所望の日時抽出条件の内、最先の日時（例えば、「2007/12/15 12:00」）が入力される入力欄である。そして、終了日時入力欄は、ユーザ所望の日時抽出条件の内、最も遅い日時（例えば、「2007/12/15 14:00」）が入力される入力欄である。
【０１２３】
従って、ユーザは、開始日時入力欄及び終了日時入力欄にそれぞれ日時を入力し得る。この場合、ＣＰＵ１１は、開始日時入力欄及び終了日時入力欄の入力内容（例えば、「2007/12/15 12:00」「2007/12/15 14:00」）を、日時抽出条件としてＲＡＭ１３に格納する（Ｓ４２）。つまり、ＣＰＵ１１は、一定の対象期間（即ち、開始日時入力欄に入力された日時を始期とし、終了日時入力欄に入力された日時を終期とした期間）を日時抽出条件として設定し得る。
【０１２４】
又、開始日時入力欄又は終了日時入力欄の一方にのみ日時を入力した場合や、開始日時入力欄と終了日時入力欄に同一日時を入力した場合、ＣＰＵ１１は、入力された一の日時（例えば、「2007/12/15 13:30」）を日時抽出条件としてＲＡＭ１３に格納する（Ｓ４２）。この場合、ＣＰＵ１１は、日時抽出条件入力欄に入力された特定の対象日時を日時抽出条件として設定する。
【０１２５】
Ｓ４３においては、ＣＰＵ１１は、抽出条件指定処理（Ｓ４２）により送信先抽出条件が設定されたか否かを判断する。具体的には、ＣＰＵ１１は、ＲＡＭ１３を参照し、抽出条件指定処理（Ｓ４２）で指定された抽出条件の内容に基づいて、Ｓ４３の判断を行う。送信先抽出条件が設定されている場合（Ｓ４３：ＹＥＳ）、ＣＰＵ１１は、Ｓ４４に処理を移行する。一方、日時抽出条件が設定されている場合（Ｓ４３：ＮＯ）、ＣＰＵ１１は、Ｓ４９に処理を移行する。
【０１２６】
先ず、送信先抽出条件が設定されている場合の処理（Ｓ４４〜Ｓ４８）について説明する。Ｓ４４に移行すると、ＣＰＵ１１は、送信先データ取得処理を実行する。送信先データ取得処理（Ｓ４４）では、ＣＰＵ１１は、上述した識別データ取得処理（Ｓ２４）と略同様の処理を行う。即ち、ＣＰＵ１１は、無線タグリーダ１５により、原稿載置部２Ａの対象原稿７０から搬送された１ページ分の原稿の無線タグ６２から、識別データに含まれている送信先データを取得する。取得した送信先データをＲＡＭ１３に格納した後、ＣＰＵ１１は、Ｓ４５に処理を移行する。
【０１２７】
尚、送信先データ取得処理（Ｓ４４）において、識別データ全体を取得するように構成することも可能である。上述したように、当該識別データには、送信先データが識別詳細データとして含まれている。従って、識別データを取得することで、ＣＰＵ１１は、当該原稿に係る送信先データを取得し得る。
【０１２８】
Ｓ４５では、ＣＰＵ１１は、当該原稿が対象セット原稿７５に該当するか否かを判断する。具体的には、ＣＰＵ１１は、当該原稿の無線タグ６２から取得した送信先データと、抽出条件指定処理（Ｓ４２）で設定された送信先抽出条件とを比較する。そして、ＣＰＵ１１は、送信先データと送信先抽出条件の示す送信先が一致しているか否かにより、当該原稿が対象セット原稿７５に該当するか否かを判断する。当該原稿が対象セット原稿７５に該当する場合（Ｓ４５：ＹＥＳ）、ＣＰＵ１１は、Ｓ４６に処理を移行する。一方、当該原稿が対象セット原稿７５に該当しない場合（Ｓ４５：ＮＯ）、ＣＰＵ１１は、Ｓ４７に処理を移行する。
【０１２９】
Ｓ４６に移行すると、ＣＰＵ１１は、第１位置搬送処理を実行する。この第１位置搬送処理（Ｓ４６）は、上述した第１位置搬送処理（Ｓ２７）と同様の処理である。従って、第１位置搬送処理（Ｓ４６）に関する詳細な説明は省略する。対象セット原稿７５に該当する当該原稿を、第１位置Ｘに位置する原稿排出トレイ２Ｄに排出すると、ＣＰＵ１１は、Ｓ４８に処理を移行する。
【０１３０】
Ｓ４７においては、ＣＰＵ１１は、第２位置搬送処理を実行する。当該第２位置搬送処理（Ｓ４７）は、上述した第２位置搬送処理（Ｓ２８）と同様の処理である。従って、第２位置搬送処理（Ｓ４７）に関する詳細な説明も省略する。ここで、原稿搬送機構２Ｂにより搬送されている当該原稿は、対象セット原稿７５ではないので（Ｓ４５：ＮＯ）、非対象セット原稿８０に該当する。非対象セット原稿８０に該当する当該原稿を、第２位置Ｙに位置する原稿排出トレイ２Ｄに排出すると、ＣＰＵ１１は、Ｓ４８に移行する。
【０１３１】
Ｓ４８では、ＣＰＵ１１は、対象原稿７０を構成する全ての原稿に対する処理（Ｓ４４〜Ｓ４７）を終了しているか否かを判断する。全ての対象原稿７０に対する処理を完了している場合（Ｓ４８：ＹＥＳ）、ＣＰＵ１１は、そのまま抽出条件指定抽出処理プログラムを終了する。一方、全ての対象原稿７０に対する処理を完了していない場合（Ｓ４８：ＮＯ）、ＣＰＵ１１は、Ｓ４４に処理を戻す。この場合、ＣＰＵ１１は、対象原稿７０における次ページに係る原稿に対する処理（Ｓ４４〜Ｓ４７）を実行する。
【０１３２】
従って、送信先抽出条件を設定した場合、ファクシミリ装置１は、送信先抽出条件を満たす対象セット原稿７５と、送信先抽出条件を満たさない非対象セット原稿８０とを分別可能な態様（図１６参照）で原稿排出トレイ２Ｄ上に積層される。この結果、ファクシミリ装置１は、ユーザ所望の送信先に送信された対象セット原稿７５を、対象原稿７０から抽出することができる。尚、この場合に抽出される対象セット原稿７５には、一通信により送信された一つのセット原稿だけでなく、対象原稿７０に同じ送信先に送信したセット原稿が複数含まれている場合は、複数のセット原稿が含まれることがある。
【０１３３】
続いて、日時抽出条件が設定されている場合（Ｓ４３：ＮＯ）に、抽出条件指定抽出処理プログラムにおいて実行される処理（Ｓ４９〜Ｓ５３）について説明する。Ｓ４９に移行すると、ＣＰＵ１１は、日時データ取得処理を実行する。日時データ取得処理（Ｓ４９）では、ＣＰＵ１１は、上述した識別データ取得処理（Ｓ２４）と略同様の処理を行う。即ち、ＣＰＵ１１は、無線タグリーダ１５により、原稿載置部２Ａの対象原稿７０から搬送された１ページ分の原稿の無線タグ６２から、識別データに含まれている日時データを取得する。取得した日時データをＲＡＭ１３に格納した後、ＣＰＵ１１は、Ｓ５０に処理を移行する。
【０１３４】
尚、日時データ取得処理（Ｓ４９）において、識別データ全体を取得するように構成することも可能である。上述したように、当該識別データには、日時データが識別詳細データとして含まれている。従って、識別データを取得することで、ＣＰＵ１１は、当該原稿に係る日時データを取得し得る。
【０１３５】
Ｓ５０では、ＣＰＵ１１は、当該原稿が対象セット原稿７５に該当するか否かを判断する。具体的には、ＣＰＵ１１は、当該原稿の無線タグ６２から取得した日時データと、抽出条件指定処理（Ｓ４２）で設定された日時抽出条件とを比較する。そして、ＣＰＵ１１は、日時データが示す日時が日時抽出条件（即ち、日時抽出条件として設定された期間内又は同一日時）を満たすか否かにより、当該原稿が対象セット原稿７５に該当するか否かを判断する。当該原稿が対象セット原稿７５に該当する場合（Ｓ５０：ＹＥＳ）、ＣＰＵ１１は、Ｓ５１に処理を移行する。一方、当該原稿が対象セット原稿７５に該当しない場合（Ｓ５０：ＮＯ）、ＣＰＵ１１は、Ｓ５２に処理を移行する。
【０１３６】
Ｓ５１に移行すると、ＣＰＵ１１は、第１位置搬送処理を実行する。この第１位置搬送処理（Ｓ５１）は、上述した第１位置搬送処理（Ｓ２７、Ｓ４６）と同様の処理である。従って、第１位置搬送処理（Ｓ５１）に関する詳細な説明は省略する。対象セット原稿７５に該当する当該原稿を、第１位置Ｘに位置する原稿排出トレイ２Ｄに排出すると、ＣＰＵ１１は、Ｓ５３に処理を移行する。
【０１３７】
Ｓ５２においては、ＣＰＵ１１は、第２位置搬送処理を実行する。当該第２位置搬送処理（Ｓ５２）は、上述した第２位置搬送処理（Ｓ２８、Ｓ４７）と同様の処理である。従って、第２位置搬送処理（Ｓ５２）に関する詳細な説明も省略する。ここで、原稿搬送機構２Ｂにより搬送されている当該原稿は、対象セット原稿７５ではないので（Ｓ５０：ＮＯ）、非対象セット原稿８０に該当する。非対象セット原稿８０に該当する当該原稿を、第２位置Ｙに位置する原稿排出トレイ２Ｄに排出すると、ＣＰＵ１１は、Ｓ５３に移行する。
【０１３８】
Ｓ５３では、ＣＰＵ１１は、対象原稿７０を構成する全ての原稿に対する処理（Ｓ４９〜Ｓ５２）を終了しているか否かを判断する。全ての対象原稿７０に対する処理を完了している場合（Ｓ５３：ＹＥＳ）、ＣＰＵ１１は、そのまま抽出条件指定抽出処理プログラムを終了する。一方、全ての対象原稿７０に対する処理を完了していない場合（Ｓ５３：ＮＯ）、ＣＰＵ１１は、Ｓ４９に処理を戻す。この場合、ＣＰＵ１１は、対象原稿７０における次ページに係る原稿に対する処理（Ｓ４９〜Ｓ５２）を実行する。
【０１３９】
従って、日時抽出条件を設定した場合、ファクシミリ装置１は、日時抽出条件を満たす対象セット原稿７５と、日時抽出条件を満たさない非対象セット原稿８０とを分別可能な態様（図１６参照）で原稿排出トレイ２Ｄ上に積層される。この結果、ファクシミリ装置１は、ユーザ所望の日時に送信された対象セット原稿７５を、対象原稿７０から抽出することができる。即ち、当該ファクシミリ装置１は、日時抽出条件の設定内容により、或る特定の日時に送信された対象セット原稿７５を対象原稿７０から抽出することができ、更に、或る特定の期間内に送信された対象セット原稿７５を対象原稿７０から抽出し得る。
【０１４０】
以上説明したように、本実施形態に係るファクシミリ装置１は、ファックス送信処理（Ｓ３）において、ファクシミリ送信の対象である送信原稿６１に付加された無線タグ６２に識別データを書き込む（Ｓ１５）。そして、ファクシミリ装置１は、「セット原稿抽出モード」において、対象セット原稿７５と非対象セット原稿８０が混在する対象原稿７０から、ユーザ所望の抽出条件に対応する対象セット原稿７５を抽出する（Ｓ６、Ｓ７）。従って、当該ファクシミリ装置１によれば、ユーザは、対象原稿７０を構成する各原稿の内容を精査することなく、対象原稿７０から所望の対象セット原稿７５を取得し得る。この結果、当該ファクシミリ装置１は、ユーザの作業負担を軽減することができる。
【０１４１】
又、一度ファクシミリ送信した送信原稿６１は、その重要性が低下するので、他の原稿と混在してしまう場合が多い。この点、当該ファクシミリ装置１によれば、ユーザは、所望の抽出条件を設定し、「セット原稿抽出モード」を実行するだけで（Ｓ６、Ｓ７）、対象原稿７０から、所望の対象セット原稿７５を抽出し得る。即ち、一度送信した送信原稿６１が他の原稿と混在した状況下においても、所望の対象セット原稿が含まれている複数の送信原稿６１（即ち、対象原稿７０）をまとめて原稿載置部２Ａにセットするだけで、所望の対象セット原稿７５のみを抽出することができる。よってユーザの作業負担を軽減し、ユーザの作業効率を向上し得る。
【０１４２】
そして、当該ファクシミリ装置１は、抽出条件指定抽出処理（Ｓ７）において、識別データに含まれる識別詳細データ（即ち、送信先データ、日時データ）に関する抽出条件を、ユーザの操作に基づいて設定する（Ｓ４２）。そして、当該ファクシミリ装置１は、設定された識別詳細データに係る抽出条件に基づいて、対象原稿７０から対象セット原稿７５を抽出する（Ｓ４４〜Ｓ４８、Ｓ４９〜Ｓ５２）。従って、当該ファクシミリ装置１は、大量の対象原稿７０の中から、確実にユーザ所望の対象セット原稿７５を抽出でき、もって、ユーザの作業負担を軽減し得る。
【０１４３】
又、当該ファクシミリ装置１は、ファクシミリ送信処理（Ｓ３）において、ファクシミリ送信を行う際に、当該ファクシミリ送信に関する送信履歴データを送信履歴記憶エリア１４１に格納する（Ｓ１９）。送信履歴データは、送信先データ、日時データ等の識別詳細データと同一内容のデータを、履歴詳細データとして有している。そして、当該ファクシミリ装置１は、送信履歴指定抽出処理（Ｓ６）において、送信履歴記憶エリア１４１に格納されている送信履歴データの内、ユーザ所望の送信履歴データの内容を抽出条件として設定する（Ｓ２２、Ｓ２３）。当該ファクシミリ装置１は、ユーザの操作に基づく送信履歴に対応する抽出条件に基づいて、対象原稿７０から対象セット原稿７５を抽出する（Ｓ２４〜Ｓ３１）。従って、当該ファクシミリ装置１によれば、ユーザは、送信履歴データを用いて確実に所望の対象セット原稿７５に対応する抽出条件を設定し得る。この結果、ユーザは、大量の対象原稿７０から、確実に所望の対象セット原稿７５を取得し得る。この場合は、一通信で送信されたセット原稿のみを確実に抽出できる。つまり、当該ファクシミリ装置１は、大量の対象原稿７０から対象セット原稿７５を選別するというユーザの作業負担を軽減し得る。特に、先に一通信で送信された原稿を対象原稿７０から探し出す場合に、当該ファクシミリ装置１は、ユーザの作業を格段に簡略化し得る。
【０１４４】
そして、当該ファクシミリ装置１は、送信原稿６１をファクシミリ送信する際に（Ｓ３）、送信履歴データを構成する履歴詳細データとして、枚数データを格納する（Ｓ１９）。そして、ファクシミリ装置１は、対象原稿７０から対象セット原稿７５を抽出した回数を計数する（Ｓ２６）。この計数結果が当該対象セット原稿７５に対応する枚数データが示す数値よりも小さい場合（Ｓ２９：ＮＯ、Ｓ３０：ＹＥＳ）、ファクシミリ装置１は、対象セット原稿７５を構成する上で、不足する原稿が存在する旨を示す抽出結果通知画面（図１７参照）をＬＣＤ１８に表示する（Ｓ３１）。これにより、当該ファクシミリ装置１によれば、ユーザは、抽出結果通知画面の通知内容に基づいて、対象セット原稿７５を再現する際に、対象原稿７０に不足している送信原稿６１が存在することを把握し、適切な措置（例えば、不足している送信原稿６１の捜索・追加等）を講じることができる。
【０１４５】
又、当該ファクシミリ装置１は、ファクシミリ送信処理（Ｓ３）において、送信する順序（即ち、原稿データの読取順序）を示すページ番号データを、各送信原稿６１の無線タグ６２に、識別詳細データとして書き込む（Ｓ１５）。そして、当該ファクシミリ装置１は、抽出結果通知画面（図１７参照）の「抽出ページ順」「不足ページ」に、夫々に該当するページ番号を表示する（Ｓ３１）。ファクシミリ装置１によれば、ユーザは、対象原稿７０を再現するために必要な送信原稿６１（即ち、特定のページに係る送信原稿６１）を容易に特定することができ、適切な措置（例えば、不足しているページ原稿の捜索・追加等）を行い得る。
【０１４６】
更に、当該ファクシミリ装置１は、図１７に示すように、抽出結果通知画面の「抽出ページ順」に、対象原稿７０から対象セット原稿７５を抽出した順に、当該対象セット原稿７５の無線タグ６２から取得したページ番号を表示する（Ｓ３１）。この結果、当該ファクシミリ装置１によれば、ユーザは、抽出結果通知画面の表示内容に基づいて、抽出された対象セット原稿７５の順序を、対象セット原稿７５における正規の順序（例えば、対象セット原稿７５のファクシミリ送信時（Ｓ３）の順序）に容易に並び替えることができる。従って、この抽出された原稿をファクシミリ送信する際には、当該ファクシミリ装置１は、対象セット原稿７５に基づく情報を誤ったページ順で相手先に伝達することを防止し、ユーザが伝達したい情報内容を正しく伝達し得る。
【０１４７】
そして、当該ファクシミリ装置１は、対象原稿７０が原稿載置部２Ａ上にある状態であっても（Ｓ３０：ＮＯ）、対象セット原稿７５に係る全ての原稿を抽出した場合（Ｓ２９：ＹＥＳ）、対象セット原稿７５の抽出処理（Ｓ２４〜Ｓ２８）を終了する。従って、ファクシミリ装置１は、対象セット原稿７５が存在していない対象原稿７０に対して、対象セット原稿７５を抽出するという無駄な処理を行うことはなく、ファクシミリ装置１の処理負担を軽減し得る。
【０１４８】
更に、当該ファクシミリ装置１は、対象原稿７０から対象セット原稿７５を抽出する際に、対象セット原稿７５を抽出した場合には、原稿排出トレイ２Ｄを第１位置Ｘに移動させて、当該対象セット原稿７５を原稿排出トレイ２Ｄ上に排出する（Ｓ２７、Ｓ４６、Ｓ５１）。そして、非対象セット原稿８０を抽出した場合には、当該ファクシミリ装置１は、原稿排出トレイ２Ｄを第２位置Ｙに移動させて、非対象セット原稿８０を原稿排出トレイ２Ｄ上に排出する（Ｓ２８、Ｓ４７、Ｓ５２）。従って、抽出処理終了後の対象原稿７０は、対象セット原稿７５と、非対象セット原稿８０とを分別可能な態様で、原稿排出トレイ２Ｄ上に積層される（図１６参照）。この結果、当該ファクシミリ装置１によれば、ユーザは、対象原稿７０を構成する対象セット原稿７５と、非対象セット原稿８０を容易に区別することができる。従って、ファクシミリ装置１は、対象原稿７０に含まれる対象セット原稿７５を容易に取り扱うことができるという利便性をユーザに提供し得る。
【０１４９】
以上、実施形態に基づき本発明を説明したが、本発明は上述した実施形態に何ら限定されるものではなく、本発明の趣旨を逸脱しない範囲内で種々の改良変更が可能である。
【０１５０】
例えば、本実施形態では、抽出条件指定抽出処理（Ｓ７）において、送信先抽出条件と、日時抽出条件の何れか一方のみを抽出条件として設定可能に構成していたが、この態様に限定するものではない。例えば、送信先抽出条件と、日時抽出条件の両者を抽出条件として同時に設定可能とすることも可能である。
【０１５１】
この場合、例えば、抽出条件指定抽出処理プログラムを下記のように構成すればよい。即ち、先ず、ＣＰＵ１１は、対象原稿７０の無線タグ６２から少なくとも送信先データ、日時データの両者を取得する。そして、ＣＰＵ１１は、識別詳細データである送信先データに基づき、送信先抽出条件を満たすか否かを判断する。送信先抽出条件を満たさない場合は、ＣＰＵ１１は、第２位置搬送処理を実行する。そして、ＣＰＵ１１は、送信先抽出条件を満たす原稿について、日時抽出条件を満たすか否かを判断する。日時抽出条件を満たさない場合、ＣＰＵ１１は、第２位置搬送処理を行う。そして、送信先抽出条件及び日時抽出条件を満たす原稿について、ＣＰＵ１１は、第１位置搬送処理を実行する。このように構成することで、ファクシミリ装置１は、両抽出条件を満たす対象セット原稿７５を対象原稿７０から抽出し得る。
【０１５２】
又、本実施形態においては、原稿排出トレイ２Ｄを第１位置Ｘと、第２位置Ｙとの間で移動可能に構成し、第１位置搬送処理、第２位置搬送処理を実行することで、対象原稿７０に含まれる対象セット原稿７５と、非対象セット原稿８０を分別可能な態様（図１６参照）で排紙したが、この態様に限定するものではない。例えば、自動原稿送り装置２に複数の原稿排出トレイを設け、対象セット原稿７５と、非対象セット原稿８０とを、それぞれ異なる原稿排出トレイに排出するように構成してもよい。
【０１５３】
そして、本実施形態においては、識別詳細データとして、「送信先データ」「日時データ」「ページ番号データ」を用い、履歴詳細データとして「送信先データ」「日時データ」「枚数データ」を用いるように構成していたが、この態様に限定するものではない。即ち、特定の原稿（即ち、対象セット原稿７５）を識別可能な情報であれば、種々の情報を用いることができる。例えば、当該原稿の作成者を示すデータをこれらに加えることも可能であるし、ファクシミリ送信を行った者を示す情報をこれらに加えることも可能である。
又、本実施形態では、一通信で送信されたセット原稿を再度ファクシミリ送信する場合について説明したが、一通信で送信されたセット原稿をコピーする場合に、上記の無線タグに書き込まれている識別データを利用してもよい。さらに言えば、Ｓ３のファックス送信処理では、ファクシミリ送信の一通信で扱われた原稿に対して、それを識別できる識別データを原稿の無線タグに書き込む処理を行った。これに対し、一まとまりの原稿として複写された原稿を識別できる識別データを原本となる原稿に書き込んでおき、再度同じまとまりの原稿を大量の原稿の中から抽出したい場合に、原本の無線タグに書き込まれている識別データを利用してもよい。
【図面の簡単な説明】
【０１５４】
【図１】本実施形態に係るファクシミリ装置の模式的な断面図である。
【図２】自動原稿送り装置の構成を示す説明図である。
【図３】自動原稿送り装置の原稿排出トレイに関する説明図である。
【図４】ファクシミリ装置の制御系構成を示すブロック図である。
【図５】ファクシミリ装置に用いられる送信原稿の説明図である。
【図６】送信原稿に付加されている無線タグの構成を示すブロック図である。
【図７】無線タグリーダ及び無線タグライタの構成を示すブロック図である。
【図８】本実施形態に係るメイン制御プログラムのフローチャートである。
【図９】抽出モード設定画面の一表示例を示す説明図である。
【図１０】ファックス送信処理プログラムのフローチャートである。
【図１１】無線タグに書き込まれた識別データの構成に関する説明図である。
【図１２】送信履歴記憶エリア内の送信履歴データに関する説明図である。
【図１３】セット原稿抽出モードの概略を示す説明図である。
【図１４】送信履歴指定抽出処理プログラムのフローチャートである。
【図１５】送信履歴指定画面の一表示例を示す説明図である。
【図１６】抽出処理終了後に原稿排出トレイへ排出された対象原稿を示す説明図である。
【図１７】抽出結果通知画面の一表示例を通信装置示す説明図である。
【図１８】抽出条件指定抽出処理プログラムのフローチャートである。
【図１９】抽出条件指定画面の一表示例を示す説明図である。
【符号の説明】
【０１５５】
１      ファクシミリ装置
２      自動原稿送り装置
２Ｄ    原稿排出トレイ
３      スキャナ部
１１    ＣＰＵ
１２    ＲＯＭ
１３    ＲＡＭ
１４    フラッシュメモリ
１５    無線タグリーダ
１６    無線タグライタ
１７    操作パネル
１８    ＬＣＤ
１９    ＮＣＵ
２０    モデム
６１    送信原稿
６２    無線タグ
７０    対象原稿
７５    対象セット原稿
８０    非対象セット原稿
１４１  送信履歴記憶エリア 
【図１】
0004557012.tif 000002
【図２】
0004557012.tif 000003
【図３】
0004557012.tif 000004
【図４】
0004557012.tif 000005
【図５】
0004557012.tif 000006
【図６】
0004557012.tif 000007
【図７】
0004557012.tif 000008
【図８】
0004557012.tif 000009
【図９】
0004557012.tif 000010
【図１０】
0004557012.tif 000011
【図１１】
0004557012.tif 000012
【図１２】
0004557012.tif 000013
【図１３】
0004557012.tif 000014
【図１４】
0004557012.tif 000015
【図１５】
0004557012.tif 000016
【図１６】
0004557012.tif 000017
【図１７】
0004557012.tif 000018
【図１８】
0004557012.tif 000019
【図１９】
0004557012.tif 000020